(57)【特許請求の範囲】
【請求項１】
打鈴機構ユニット（２）と、第１のミニッツ・リピータ制御レバー（５３５）を押圧する押圧部片を押圧することにより使用者によって駆動されることが可能であるミニッツ・リピータとを備え、打鈴が駆動されたとき、巻上げカム（４４０）を担持している板（５２５）を駆動するように構成された前記打鈴機構ユニット（２）内に備えられた戻り止めラチェット（９）に向かって、自動動作中、解放レバー（１０５）を枢動させる解放カム（５３０）を駆動する日の裏機構を備える時計ムーブメント（２００）を備える時計（１０００）のための打鈴機構（１００）であって、前記打鈴機構は、前記ミニッツ・リピータのいかなる不注意による駆動に対しても保護する安全機構（９００）を備え、前記安全機構（９００）は、前記第１のレバー（５３５）と協働するように構成され、かつミニッツ・リピータが動作状態に設定されたとき、前記第１のレバー（５３５）によってその枢動が制御される第２の枢動安全レバー（５３６）を備え、前記第２のレバー（５３６）は、いったん動作状態に設定された後、ミニッツ・リピータが再び解放されることを防止するために、ばねによって復帰される枢動ボルト（５３７）内に備えられたつめ（５３７Ａ）と協働するように構成されたキャッチ（５３６Ａ）を備えることを特徴とする、打鈴機構（１００）。
【請求項２】
前記ミニッツ・リピータは、オンデマンド打鈴が実行を終了したとき、休止位置へのその復帰のために、前記ボルト（５３７）を枢動させるためのレバー（５４０）を作動させ、前記第２のレバー（５３６）を解放することによって、前記ボルト（５３７）を解放することを特徴とする、請求項１に記載の打鈴機構（１００）。
【請求項３】
前記ボルト（５３７）の枢動は、ゴング絶縁機構（５４２）を解放するために、前記ボルトがレバー（５４０）と当接して、前記レバーを枢動させることを可能にすることを特徴とする、請求項１に記載の打鈴機構（１００）。
【請求項４】
前記安全機構（９００）は、前記第２のレバー（５３６）の枢動運動を防止する、または可能にするために、休止位置での枢動アーム（５３５Ｂ）のほぼ円形のカム（５３５Ｄ）の端部に、または打鈴を解放するための、または中間押圧部片を形成している前記第２のレバー（５３６）をロックするための位置での前記カム（５３５Ｄ）の内部のいずれかで、前記第１のレバー（５３５）上に枢動自在に装着された前記アーム（５３５Ｂ）と当接する傾斜端部（５３５Ｃ）を有する、前記第１のレバー（５３５）と一体に装着されたばね（５３５Ａ）を備えることを特徴とする、請求項１に記載の打鈴機構（１００）。
【請求項５】
前記第２のレバー（５３６）は、可動アーム（５２３）内に備えられたピン（５２３Ａ）と当接して協働するように構成された嘴部（５３６Ｂ）を備えること、前記第２のレバー（５３６）はまた、そのベアリング面（５３１Ａ）が、板または受け上に枢動自在に装着されたロック・フック（５２９）のベアリング面（５２９Ａ）を押圧するように構成されている枢動フック解除レバー（５３１）を担持していること、および前記アーム（５２３）は、前記ロック・フック（５２９）の対向するベアリング面（５２９Ｂ）に、反対方向に圧力を付与するように構成された第２のピン（５２３Ｂ）を備え、前記ロック・フック（５２９）は、板ばね（５３２）によって巻き上げられるその位置に応じて、枢動フック（５２８）と協働するまたは協働しないように構成され、前記枢動フック（５２８）の一方の端部は、フック位置で前記板（５２５）を打鈴歯車列によって枢動される中間歯車ラチェットに接続し、かつ前記枢動フック（５２８）の枢動は、打鈴を実行することを可能にするために前記打鈴機構ユニット（２）の前記ラチェット（９）と協働するフック（１０９）を備える解放レバー（１０５）の枢動を可能にすることを特徴とする、請求項４に記載の打鈴機構（１００）。
【請求項６】
前記安全機構（９００）が休止位置にあるとき、前記ばね（５３５Ａ）の前記傾斜端部（５３５Ｃ）は、前記ボルト（５３７）が前記キャッチ（５３６Ａ）から解放されるような位置にある前記第２のレバー（５３６）と第１のベアリング表面（５３５Ｅ）を介して当接している、前記枢動アーム（５３６Ｂ）の前記カム（５３５Ｄ）の終点で当接し、かつ前記アーム（５２３）の前記第２のピン（５２３Ｂ）は、前記ロック・フック（５２９）にいずれの作用も付与しないことを特徴とする、請求項５に記載の打鈴機構（１００）。
【請求項７】
前記第１のレバー（５３５）と当接する押圧部片への使用者の作用によって打鈴が解放されたとき、前記レバーは枢動し、前記ばね（５３５Ａ）は前記カム（５３５Ｄ）の内部と当接し、かつ前記アーム（５３５Ｂ）は、前記第２のレバー（５３６）に前記ボルト（５３７）を引掛けるために、第２のベアリング表面（５３５Ｆ）を介して前記第２のレバー（５３６）を押圧し、前記第２のレバー（５３６）の枢動は、前記第２のレバー（５３６）の前記嘴部（５３６Ｂ）によって前記ピン（５２３Ａ）上で駆動される、前記アーム（５２３）の運動を生じさせ、前記アーム（５２３）はさらに、その前記第２のピン（５２３Ｂ）を介して、前記ロック・フック（５２９）を前記枢動フック（５２８）から解放するために、前記ロック・フック（５２９）の前記ベアリング表面（５２９Ｂ）を動かすことを特徴とする、請求項５に記載の打鈴機構（１００）。
【請求項８】
前記第２のレバー（５３６）は、使用者による作用のための押圧部片と前記第１のレバー（５３５）の間に挿入されたばね（５３４）によって付与された復帰トルクの影響による前記第１のレバー（５３５）の休止位置への復帰によってロックされ、前記第２のレバー（５３６）は次に、前記キャッチ（５３６Ａ）の縁部を介して、ボルト（５３７）の前記つめ（５３７Ａ）内に備えられた段差（５３７Ｂ）を引掛けるように枢動し、このようにして前記打鈴が実行を終了する前に、打鈴が再び解放されることを防止することを特徴とする、請求項４に記載の打鈴機構（１００）。
【請求項９】
前記ミニッツ・リピータは、オンデマンド打鈴が実行を終了したとき、前記ボルト（５３７）を枢動させるためのレバー（５４０）を作動させ、前記レバーを前記休止位置へ復帰させるための前記第２のレバー（５３６）を解放することによって、前記ボルト（５３７）を解放することを特徴とする、請求項６に記載の打鈴機構（１００）。
【請求項１０】
前記ロック・フック（５２９）は、前記板ばね（５３２）によって巻き上げられる位置に応じて、前記巻上げカム（４４０）をロックまたは解放し、したがって、前記巻き上げられる位置に応じた打鈴の停止または解放を許可することを特徴とする、請求項５に記載の打鈴機構（１００）。
【請求項１１】
前記ロック・フック（５２９）は、打鈴を手動解放するための手動制御レバーと協働することを特徴とする、請求項１０に記載の打鈴機構（１００）。
【請求項１２】
前記打鈴機構は、前記時計（１０００）内に備えられた副またはアラーム打鈴機構を絶縁するための大制御デバイス（４０１）と、前記大制御デバイス（４０１）をロックまたは解放するためのレバー（５１７）と、をさらに備え、
前記ボルト（５３７）は、ミニッツ・リピータによる時刻表示のための打鈴サイクルの終わりでのみ解放されること、および前記第２のレバー（５３６）の枢動は、前記大制御デバイス（４０１）と直接的または間接的に協働するように、およびミニッツ・リピータが動作している間、前記大制御デバイス（４０１）をロックまたは解放するためのレバー（５１７）の嘴部（５１８）によって前記大制御デバイス（４０１）内に備えられた嘴部（４３０）をロックすることによって、前記時計（１０００）内に備えられた副またはアラーム打鈴機構を絶縁するために前記大制御デバイスを押圧するように構成された可動アーム・レバー（５２３）を枢動させ、いったんミニッツ・リピータが終了した後、前記大制御デバイス（４０１）は復帰ばねの動作によって位置に復帰されることを可能にするために、前記大制御デバイス（４０１）をロックまたは解放するためのレバー（５１７）が結合解除されることを特徴とする、請求項１に記載の打鈴機構（１００）。
【請求項１３】
解放レバー（１０５）を、自動動作中、第１のミニッツ・リピータ制御レバー（５３５）を押圧する押圧部片を押圧することにより使用者によって駆動されることができるミニッツ・リピータを備える打鈴機構の前記打鈴機構ユニット（２）内に備えられた戻り止めラチェット（９）に向かって枢動させる解放カム（５３０）を駆動する日の裏機構を備える時計ムーブメント（２００）を備え、前記打鈴機構ユニット（２）は、打鈴が動作しているとき、巻上げカム（４４０）を担持している板（５２５）を駆動するように構成されている時計（１０００）であって、前記打鈴機構は、請求項１に記載の打鈴機構（１００）であり、かつ前記第１のミニッツ・リピータ制御レバー（５３５）と協働するように構成されていることを特徴とする、時計（１０００）。
【発明の詳細な説明】
【技術分野】
【０００１】
本発明は、打鈴機構ユニットと、第１のミニッツ・リピータ制御レバーを押圧する押圧部片を押圧することにより使用者によって駆動されることが可能であるミニッツ・リピータとを備え、打鈴が駆動されたとき、巻上げカムを担持している板を駆動するように構成された前記打鈴機構ユニット内に備えられた戻り止めラチェットに向かって、自動動作中、解放レバーを枢動させる解放カムを駆動する日の裏機構を備える時計ムーブメントを備える時計のための打鈴機構に関する。
【０００２】
本発明は、さらに、解放レバーを、自動動作中、第１のミニッツ・リピータ制御レバーを押圧する押圧部片を押圧することにより使用者によって駆動されることができるミニッツ・リピータを備える打鈴機構の前記打鈴機構ユニット内に備えられた戻り止めラチェットに向かって枢動させる解放カムを駆動する日の裏機構を備える時計ムーブメントを備え、前記打鈴機構ユニットが、打鈴が動作しているとき、巻上げカムを担持している板を駆動するように構成されている時計に関する。本発明は、時計学の分野、より具体的には、打鈴機構、特にリピータを備える時計の分野に関する。
【背景技術】
【０００３】
リピータ打鈴機構は、並外れた多数の構成要素、ならびに製造および組立作業のために必要とされる手間および時間を要する時計である。打鈴機構の複雑性は、少なくとも１８世紀から知られているが、１７６３年から２０世紀半ばの間では、限られた数の出版物の主題にすぎなかった。複雑性に対する当業者に最も良く知られている参考となる業績は、本発明の発表への負荷を避けるために参照される、特にグランド・ストライクおよびリピータである、著書"Les montres compliquees"（Complicated watches）by Francois Lecoultre and edited by Editions Horlogeres in Bienneである。
【０００４】
しばしば、複雑な時計、特に腕時計の内部で使用可能な空間は、ケース内で、ある機能、特に音響機能を二重にすることが不可能であることが多く、それゆえ、音響および／または音楽機能の間の選択がされなければならない。
【０００５】
より具体的には、アラーム機能は、グランド・ストライクまたはミニッツ・リピータ複雑機構とは別の複雑機構である。
【０００６】
ＢＯＲＤＯＮＩ  ＧＵＧＧＥＲＩ名義の仏国特許第４５５  １７４  Ａ号は、アワー・リピータおよびクォーター・リピータによって正時および四半時を自動的に打鈴するデバイスを備えるアラーム機構を開示している。これは、アワー・スネイルを代替する、打鈴歯車と弾性的に接続された扇歯車およびラックを備える。機構が打時に対して正時打鈴を準備するとき、扇歯車が１つの歯によって前方へ移動し、周縁でラックを停止させ、その心棒を下降させることによって、前進運動が生成される。追加の打鈴を与えるために選択される伝達比により、正時打鈴と四半時打鈴の間に一時停止がある。これは、ベント・レバーがクォーター・ハンマーを解放することによって停止される。
【０００７】
ＰＡＩＬＬＡＲＤ名義の中国特許出願第２５２  １６９Ａ号は、ばねによって傾斜して、２つの位置に維持されることが可能な作動部材と、調節部材の位置によって決定される時間の後、作動部材をその２つの位置のうちの一方から他方へ傾斜させる作動部材とを備える、調時デバイスを開示している。
【０００８】
ＭＯＮＴＲＥＳ  ＢＲＥＧＵＥＴ  ＳＡ名義の欧州特許第１７９８  ６１０  Ａ１号は、打鈴機構の解放を手動で制御するために使用されるつめを除去することによって行われる単一のつめを備える打鈴機構を開示している。
【０００９】
ＭＯＮＴＲＥＳ  ＪＯＵＲＮＥ  ＳＡ名義の欧州特許第１７６０  ５４５  Ａ１号は、バレルの電力保存量が低いとき、打鈴機構を停止およびロックするための安全デバイスを備える、単一のバレルを備える打鈴時計を開示している。
【００１０】
ＦＲＡＮＫ  ＭＵＬＬＥＲ  ＷＡＴＣＨＬＡＮＤ  ＳＡ名義の欧州特許第２２４６  ７５３  Ａ２号は、時刻が設定されている間、リピータをロックするための打鈴時計を開示している。
【先行技術文献】
【特許文献】
【００１１】
【特許文献１】仏国特許第４５５  １７４  Ａ号
【特許文献２】中国特許出願第２５２  １６９Ａ号
【特許文献３】欧州特許第１７９８  ６１０  Ａ１号
【特許文献４】欧州特許第１７６０  ５４５  Ａ１号
【特許文献５】欧州特許第２２４６  ７５３  Ａ２号
【特許文献６】欧州特許第１  ７９８  ６１１号
【特許文献７】欧州特許第１  ８４５  ４２５号
【特許文献８】欧州特許第１  ９２１  ５１９号
【特許文献９】欧州特許出願第０９１７５２６６．７号
【非特許文献】
【００１２】
【非特許文献１】"Les montres compliquees"（Complicated watches）by Francois Lecoultre and edited by Editions Horlogeres in Bienne
【発明の概要】
【発明が解決しようとする課題】
【００１３】
本発明は、特にミニッツ・リピータ・サイクルがちょうど開始したとき、使用者によるいかなる不注意な操作も無効にすることによって、打鈴時計、特に腕時計の動作の安全性を改善することを提案する。
【課題を解決するための手段】
【００１４】
主打鈴機構制御機構は、正時および／または四半時および／または分を通過した際に、または必要に応じて打鈴機構を解放するように構成されている。
【００１５】
副打鈴機構は、アラーム打鈴を、または物理的なおよび／または数値的なデータの受信機によって、または少なくとも１つの物理的な量の値を測定するセンサによって解放される打鈴を解放するように構成されている。本発明による副打鈴機構は、特に聴覚可能な巻上げの終わりまたは電力インジケータの終わりまたは類似のものの、時間に関連するまたは関連しないいかなる聴覚可能なインジケータの表示も可能にする。本発明の適用例によると、副打鈴機構は、使用者が選択したときに、またはすでに動作中である打鈴に応じて、それに特有の打鈴機構、または主打鈴機構の打鈴機構のいずれかの中で、またはこれら２つの機構のうちの一方または他方の中で動作することができる。優先性のシステムが有利にはさまざまな打鈴機構の間で作成される。たとえば、副アラーム打鈴が、主打鈴機構を借りることによって標準的に動作するが、たとえば、経過した時間または使用者による必要に応じた音声送出のために、主打鈴機構がアラーム時刻にすでに動作中である場合、副アラーム打鈴は、補足的なゴングを備える専用の機構上で動作することが、想定されてもよい。
【００１６】
したがって、本発明は、打鈴機構ユニットと、第１のミニッツ・リピータ制御レバーを押圧する押圧部片を押圧することにより使用者によって駆動されることが可能であるミニッツ・リピータとを備え、打鈴が駆動されたとき、巻上げカムを担持している板を駆動するように構成された解放レバーを、自動動作中、前記打鈴機構ユニット内に備えられた戻り止めラチェットに向かって枢動させる解放カムを駆動する日の裏機構を備える時計ムーブメントを備える時計のための打鈴機構であって、前記打鈴機構が、前記ミニッツ・リピータのいかなる不注意による駆動に対しても保護する安全機構を備えること、前記安全機構が、前記第１のレバーと協働するように構成され、かつミニッツ・リピータが動作状態に設定されたとき、前記第１のレバーによって枢動が制御される第２の枢動安全レバーを備え、前記第２のレバーが、いったん動作状態に設定された後、ミニッツ・リピータが再び解放されることを防止するために、ばねによって復帰される枢動ボルト内に備えられたつめと協働するように構成されたキャッチを備えることを特徴とする打鈴機構に関する。
【００１７】
本発明は、さらに、解放レバーを、自動動作中、第１のミニッツ・リピータ制御レバーを押圧する押圧部片を押圧することにより使用者によって駆動されることができるミニッツ・リピータを備える打鈴機構の前記打鈴機構ユニット内に備えられた戻り止めラチェットに向かって枢動させる解放カムを駆動する日の裏機構を備える時計ムーブメントを備え、前記打鈴機構ユニットが、打鈴が動作しているとき、巻上げカムを担持している板を駆動するように構成されている時計であって、前記打鈴機構が、前記第１のミニッツ・リピータ制御レバーと協働するように構成されていることを特徴とする時計に関する。
【００１８】
本発明の他の特徴および利点は、添付の図面を参照して、以下の詳細な説明を読めばより明らかになるであろう。
【図面の簡単な説明】
【００１９】
【図１】本発明による、時計機構、打鈴機構、アラーム制御機構および打鈴制御機構を備える時計ムーブメントを備える、時計の概略ブロック図である。
【図２】本発明による時計機構、リピータ打鈴機構、アラーム機構および打鈴機構ユニットを備える、時計の部品の概略部分平面底面図である。
【図３】図２の機構の概略部分平面上面図である。
【図４】本発明による打鈴機構ユニットを備える図２および３の時計のリピータ打鈴機構の概略部分図、および打鈴機構を制御するラック機構を示す図である。
【図５】時計に組み込まれたミニッツ・リピータ制御デバイスを示す図２および３の時計の詳細の概略部分透視図である。
【図６】カラム歯車の形態での、打鈴モードセレクタ、およびアラーム音声を実行する打鈴機構を作製するために本発明に備えられた大制御デバイスとのその接続を示す、図２および３の時計の詳細の概略部分透視図である。
【図７】大制御デバイスに与えられた命令に応じて打鈴またはアラームを駆動するための解放レバー内に備えられたこはぜに近接した位置での、この大制御デバイスによって間接的に制御されるセレクタを示す、図２および３の時計の詳細の概略部分透視図である。
【図８】大制御デバイスのある詳細、およびラチェットのモード選択運動を駆動または防止する、または打鈴の継続時間を制御する調時フック、第１の絶縁器、および第２の絶縁器を備える作動部材とのその接続を示す、図２および３の時計の詳細の概略部分透視図である。
【図９】一方では、本発明による調時歯車群との、および他方では手動でアラームを停止するためのレバーとの、図８の調時フックとの間のインターフェイスをより具体的に示す、図２および３の時計の詳細の概略部分透視図である。
【図１０】一方では、調時フックとの、他方では枢動セレクタ部品との、図８の第２の絶縁器の接続を示す、図２および３の時計の詳細の概略部分透視図である。
【図１１】図９の調時歯車群内に備えられた調時フックとラチェットの間の協働を示す、図２および３の時計の詳細の概略部分透視図である。
【図１２】アラームを手動で停止するための押釦、および調時フックとのその接続を示し、前記枢動セレクタ部品によって制御される、大制御デバイスによって担持されている第２の絶縁器と図７のセレクタとの間の枢動セレクタ部品の位置を示す、図２および３の時計の詳細の概略部分透視図である。
【図１３】前記セレクタが、打鈴機構ユニットの前に、枢動解放部品のこはぜと対向して配置されている、大制御デバイスとセレクタの間の枢動セレクタ部品を示す、図２および３の時計の詳細の概略部分透視図である。
【図１４】アラーム打鈴機構に対する少なくとも１つのハンマー上昇部片の駆動を制御することができる、噛合位置での打鈴機構ユニットに近接している、大制御デバイスによって制御される解放歯車群を示す、図２および３の時計の詳細の概略部分透視図である。
【図１５】図１４と同様に示されているが、機構の他の側から見た、図１４の結合歯車群および大制御デバイスの一方の端部に近接しているその環境を示す、図２および３の時計の詳細の概略部分透視図である。
【図１６】中に備えられたアラーム解放歯車上で、アラーム打鈴の継続時間を制限する機能を有する調時歯車群内に備えられた調時歯車と噛合して示されている、打鈴機構ユニットの前にあるこの解放歯車群のさらに別の図を示す、図２および３の時計の詳細の概略部分透視図である。
【図１７】打鈴またはアラーム解放をそれぞれ制御するためのその２つのこはぜを備える図７の解放レバー、および前記解放レバーの巻上げを制御するための巻上げカムと協働するための図３に見られる１つのアームを示す、図２および３の時計の詳細の概略部分透視図である。
【図１８】第１の絶縁器および調時フックを動作させるためのそのガイド部材とともに、第２の絶縁器が固定された大制御デバイスを示す、図２および３の時計の詳細の概略部分透視図である。
【図１９】時計のミニッツおよびクォーター部片の下の、大制御デバイスによって担持されている打鈴機構ユニット、調時歯車群、結合歯車群および歯車群を示す図２および３の時計の詳細の概略部分透視図である。
【図２０】本発明の打鈴機構ユニットの概略透視分解図である。
【図２１】３つの図２１Ａ、２１Ｂ、２１Ｃによって形成された、使用者による不本意な駆動から打鈴機構を保護するための、本発明の安全機構の３つの連続する動作ステップの概略平面図である。
【図２２】本発明によるグランド・ストライクを介してアラーム打鈴機構を開始するための機構、この図には示されていない大制御デバイスによって作動される運動制御部材、結合歯車群、調時歯車群、本発明による打鈴機構ユニット、およびアラーム打鈴音声を実行するためのハンマーの概略透視部分図である。
【図２３】本発明による絶縁器機構の概略透視図である。
【図２４】本発明による調時歯車群の概略透視分解図である。
【図２５】本発明によるグランド・ストライクを介してアラーム打鈴を開始するための機構の詳細、および、中に備えられた絶縁器組立体と打鈴機構のクォーター・ラックの間の協働を示す、概略透視図である。
【図２６】図２５の逆転図である。
【図２７】図２０の組み立てられた打鈴機構ユニットの概略部分透視図である。
【図２８】前記打鈴機構ユニット内に備えられた実装された駆動板のサブ・アセンブリの概略透視図である。
【図２９】図２８の実装された駆動板のサブ・アセンブリの概略平面、上面図である。
【図３０】図２９の断面ＡＡでの実装された駆動板のサブ・アセンブリの概略部分図である。
【図３１】図２９の断面ＢＢでの実装された駆動板のサブ・アセンブリの概略部分図である。
【図３２】図２９の断面ＣＣでの実装された駆動板のサブ・アセンブリの概略部分図である。
【図３３】本発明による機構内に備えられたロック止めの別の位置の詳細を、図２９と同様にして示す図である。
【図３４】図２８の実装された駆動板のサブ・アセンブリの概略平面底面図である。
【図３５】図２８の実装された駆動板のサブ・アセンブリ内に備えられた駆動板の概略透視図である。
【図３６】図２８の実装された駆動板のサブ・アセンブリ内に備えられた戻り止めラチェットの概略透視図である。
【図３７】図２８の実装された駆動板のサブ・アセンブリ内に備えられたこはぜフックと打鈴機構ユニット内に備えられ、図２７に見られるパイプ・ラチェットとの間の協働の原理の概略平面上面図である。
【発明を実施するための形態】
【００２０】
本発明は時計学の分野、およびより具体的には、打鈴機構、特にリピータを備える時計の分野に関する。
【００２１】
本発明は、打鈴機構に付加される新規な複雑機構に関する。
【００２２】
特に、本発明は、このいわゆる主打鈴機構の全部または一部を、主打鈴機能とは異なる、副打鈴機能と呼ばれる別の機能の、特にアラーム機構の、音響的な表示として使用するための、打鈴またはグランド・ストライクまたはミニッツ・リピータ機構１００を備える、時計１０００の適用に関する。図面に示されている時計１０００は、本発明の主題であるさまざまな複雑機構を組み込んでいる腕時計である。
【００２３】
「打鈴機構」という一般用語は以下で、いずれかの音声または音楽の送出、特にハンマーがゴングを打鈴することによって、または同様に、打鈴時計またはオルゴールという公知の機構によって行われる音声送出を意味する。
【００２４】
図１は、複雑時計１０００、特に腕時計の構成を示している。この時計１０００は、従来の通り、少なくとも１つの時計ムーブメント２００と、一方では、事前設定、および／または信号の受信、および／または物理的なパラメータに対する閾値の侵害に関連する特定の時刻に、いわゆる副打鈴、たとえばアラーム打鈴を解放するための少なくとも１つの副打鈴制御手段４００と、他方では、主打鈴制御手段１０によって制御される少なくとも１つの打鈴またはグランド・ストライクまたはミニッツ・リピータ機構１００とを備える。この制御手段１０は、時計ムーブメント２００に相互接続されており、かつ、図に示されている例のようなミニッツ・リピータの場合、時計ムーブメント２００によってプログラムされた時間に、または必要に応じて、主打鈴機構を解放するように構成されている。この機構１００は、好ましくはリピータ打鈴機構である。
【００２５】
特定の場合によると、時計ムーブメント２００または打鈴機構１００は、音声機構を駆動するための駆動手段１２０を備える。
【００２６】
時計１０００は、図に示されている本発明の好ましい実施形態では、アラーム機構３００から成り、モード選択手段５００および結合手段６００を有利には備える、副打鈴解放機構１を備える。しかし、図１の作動ユニットのグループ分けは、例示的なものである。これらは、時計１０００の別の機構の部品を形成してもよい。たとえば、選択手段５００が、主打鈴制御手段１０内に、または主打鈴機構１００内にさえも組み込まれてよい。
【００２７】
この副打鈴解放機構１は、実際の音声送出機構へ１度に１つのみの命令しか与えられないようにすることによって、結合手段６００、および組立体の動作上の安全に貢献する絶縁手段８００と有利に接続された例示的な実施形態での制御棒連結機構７００を介して、副打鈴制御機構によって制御される打鈴を実行するために主打鈴機構１００の全部または一部が使用されることを可能にする。音声送出手段は、主打鈴機構１００内に組み込まれた、または主打鈴機構と相互接続された打鈴機構ユニット２を、いずれの場合も備える。有利な変形形態では、副打鈴機構駆動機構３５０が、打鈴機構ユニット２と相互接続された、結合歯車群１５０を組み込んでいる。打鈴の継続時間を制限するための別の変形形態では、継続時間制限機構３３０が、これも打鈴機構ユニット２と相互接続されている調時ユニット１３０を組み込んでいる。別のオプションの安全機構は、ミニッツ・リピータの不本意な動作開始を防止する安全機構９００であり、これは、副打鈴解放機構１と主打鈴制御手段１０との間に配置されても、それらの中に、または主打鈴機構１００の中に組み込まれてもよい。
【００２８】
アラームの場合の時間値、または圧力などのセンサによって測定された物理量の値、鉱山または魚雷発射機構の場合の圧力、または危険な領域を通過しようとする人間に対しての放射能、温度またはその他の閾値が、いずれかの事前設定値に到達したとき、音声制御機構４００がこのようにして解放されてもよく、また、電話着信信号などの、時計使用者に警告することを必要とする外部信号が時計内に配置された受信機で受信されたことによって開始されてもよい。これらの適用例は、限定されない例を用いて述べられる。
【００２９】
図２および３は、複雑時計１０００内での、リピータ打鈴機構１００、およびそれに付随する複雑機構と、特にアラーム機構３００によって形成された副打鈴機構との協働を示している。特定の機能が、以下で詳細に説明される。
【００３０】
本明細書で示されている打鈴機構１００は、図２および３に見られるように、即時解放タイプのものであり、その内容が参照により本明細書に組み込まれる、同一出願人による欧州特許第１  ７９８  ６１１号の特徴を適用している。特に、打鈴機構１００は、以下の明細書で詳細に説明され、本発明の新しい機能に適応されている、打鈴機構ユニット２を備える。
【００３１】
時計ムーブメント２００は、図面には示されていない日の裏機構を備える。これは、四芒星の形態の図２に示されている解放カム５３０を駆動する。打鈴が解放されたとき、打鈴機構ユニット２が、巻上げカム４４０を担持している板５２５を駆動する。この両者は図３で見ることができる。
【００３２】
自動動作では、解放カム５３０が、解放レバー１０５を、以下でより詳細に説明する打鈴機構ユニット２内に備えられている戻り止めラチェット９に向かって枢動させる。解放レバー１０５は、打鈴機構ユニット２の／からの歯車列を解放するために、戻り止めラチェット９を枢動させる第１のこはぜ１０９を備える。
【００３３】
手動動作では、参照により本明細書に組み込まれる、同一出願人による欧州特許第１  ７９８  ６１１号の教示によると、前で説明した第１のレバー５３５と接続されたミニッツ・リピータ押圧部片などの手動制御部材が、解放レバー１０５を機械的に作動させる。巻上げカム４４０が、前記レバーを復帰ばねに対して巻き上げるために、図３および１７に見られる解放レバー１０５内に備えられたアーム４４１と協働する。この巻上げカム４４０は、解放レバー１０５が、再び解放状態に陥ることを可能にする段差を備える。板５２５は、フック位置にあるとき、その一方の端部で、板５２５を、打鈴歯車列によって枢動される中間歯車のラチェットと接続する枢動フック５２８を備える。このフック５２８の反対側の端部は、図２に見られるように、ロック・フック５２９、およびここに示されている好ましい変形形態ではフック解除レバー５３１の付いた制御アームを備えるロック・デバイスと協働する。その位置に応じて、ロック・フック５２９が、巻上げカム４４０をロックまたは解放する。ロック・フックは、このようにして、その位置に応じて打鈴機構のすべてが停止または解放されることを可能にする。このロック・フック５２９は、打鈴を手動で解放するために、手動制御レバーと協働する。
【００３４】
フック解除レバー５３１は、この手動制御レバーに枢動自在に装着され、ばねによって戻り、解放カム５３０を備える一方の端部を介して、およびつめを介して、ロック・フック５２９を備える制御アームによって担持されたピンによって協働し、フック解除レバー５３１が解放カム５３０によってそれ自体解放されたとき、ロック・フック５２９をロック解除位置へ枢動させる。
【００３５】
本発明は、時計１０００用の副打鈴解放機構１に関する。
【００３６】
本発明によると、この副打鈴解放機構１は、副打鈴制御機構４００の解放というこの特定の時刻に、主打鈴制御手段１０を結合解除することによって主打鈴の実行を防止するように、および打鈴またはグランド・ストライクまたはミニッツ・リピータ機構１００、または前記機構の少なくとも１つの部品を結合することによって副打鈴音響信号を発するように構成された、結合機構６００を備える。副打鈴制御機構４００の解放の前記特定の時刻以外に、およびその後に、前記特定の時刻に関連する音響信号が実行され、このことが副打鈴制御機構４００を解放する。機構１はまた、主打鈴制御手段１０を結合することによって主打鈴の動作を可能にするように、および打鈴またはグランド・ストライクまたはミニッツ・リピータ機構１００を結合することによって、主打鈴機構音響信号を発するように構成されている。
【００３７】
本発明による副打鈴解放機構１は、特に、階層状に配置され、互いに対して連続的に優先順位が付けられ、主打鈴制御手段１０に対する優先順位がすべて高い、いくつかの副打鈴制御機構４００を備える、時計１０００に適用可能である。
【００３８】
また、本発明による副打鈴解放機構１は、副打鈴制御機構４００の優先レベルを比較する手段と、前記副打鈴制御機構４００の１つの解放の特定の時刻に、より高い優先順位の別の副打鈴制御機構４００からの音響信号が実行されている場合その動作を防止し、それよりも高い優先順位の別の副打鈴制御機構４００からの音響信号が実行されていない場合、その動作を可能にするように構成された絶縁機構８００とを備える。この場合、前記絶縁機構８００は、それに対して低い優先順位の他のいかなる副打鈴制御機構４００の動作も防止する。
【００３９】
本発明の適用例が、図面に示されている特定の限定されない場合に対して、より具体的に説明される。ここで、少なくとも１つの副打鈴制御機構４００は、ここで詳細に説明されない、所望のアラーム時刻を設定する手段を備えるアラーム制御機構４００である。この場合、副打鈴解放機構１は、アラーム制御機構４００によって制御されるアラーム機構３００である。
【００４０】
副打鈴解放機構１または時計１０００は、好ましくは、および特に図面に示されたバージョンでは、モード選択手段５００を備える。
【００４１】
このモード選択手段５００は、時計１０００内で、少なくとも、一方では、副打鈴モード、特にアラーム打鈴モード、すなわちアラーム制御機構によって形成される副打鈴制御機構４００を作動させること、および他方では、サイレント・モードに関連してもしなくてもよいが、１つまたはいくつかの主打鈴モード、打鈴機構ユニット２に作用する主打鈴制御機構１０を作動させることの間で区別し、選択するように構成されている。
【００４２】
たとえば、モード選択手段５００は、適切な複雑機構を備える時計１０００で、アラーム、グランド・ストライク、打鈴、小音打鈴、ミニッツ・リピータ、サイレント打鈴モードの、さまざまなモードの選択を可能にしてよい。このリストはこれに限定されるものではない。
【００４３】
このモード選択手段５００は副打鈴モード、特にアラーム打鈴モードが選択されたとき、結合機構６００を巻き上げて、主打鈴機構を結合解除し、副打鈴機構、特にアラーム制御機構４００によって制御されるアラーム３００を結合して、グランド・ストライク機構１００内に備えられた打鈴機構ユニット２を介してアラームを実行するように構成されている。この結合機構６００はまた、主打鈴モードが選択されたとき、グランド・ストライク機構を使用して副打鈴またはアラーム機構を結合解除し、副打鈴またはアラームを実行すること、およびグランド・ストライク以外の機構を使用する前記副打鈴またはアラームを実行することのいずれも行わないように構成されている。
【００４４】
時計ムーブメント２００および制御、アラームおよび打鈴機構の動作のためのエネルギーの蓄積は、再充電のまたは蓄電のいずれかであるが、ここでは詳細に説明しない。エネルギー保存手段は、その内容が参照により本明細書に組み込まれる、同一出願人による欧州特許第１  ８４５  ４２５号で公知のような、たとえば時計ムーブメント２００のために適した電力保存、およびある数の打鈴およびアラーム動作のための電力保存の両方を確実にする大きな寸法のバレルの形態の、単一の手段であってよい。さまざまな機能をそれぞれ行うバレルまたは類似のものを使用するエネルギー保存手段もまた、明らかである。
【００４５】
ミニッツ・リピータおよびグランド・ストライク時計に関連する図面に示されている限定されない例では、打鈴およびアラーム機能の選択および制御のための使用者と時計１０００の間のインターフェイスは、３つの制御部材で形成される。
【００４６】
これら３つの制御部材は、ここでは詳細に説明されないアラーム時刻を設定するための制御部材に追加され、有利にはその内容が参照により本明細書に組み込まれる、同一出願人による欧州特許第１  ９２１  ５１９号の特徴を適用している。ここでは詳細に説明されない、好ましい実施形態では、時計１０００は、ムーブメントの時間を設定するため、またはアラーム時刻を設定するための押圧部片を備え、押圧部片上の動作が一方のまたは他方の日の裏機構を選択する結合を、動作中に設定する。
【００４７】
副打鈴モード、特にアラームモードでの動作は、アラーム機構３００内に備えられた結合機構６００の動作によって、プログラムされた時間に音響信号を発するように構成されている、副打鈴制御機構、特にアラーム制御機構４００を使用する。
【００４８】
有利には、その単純性のため、結合機構６００は、グランド・ストライク機構１００内に備えられた打鈴機構ユニット２による副打鈴またはアラームを実行するために、および副打鈴またはアラームの継続時間を定義するために調時歯車群１３０を制御するために、結合歯車群１５０を制御するように構成された大制御デバイス４０１を備える制御棒連結機構７００を備える。
【００４９】
本発明によると、アラーム制御機構４００は、副打鈴またはアラームモードが選択されたとき、時計１０００のグランド・ストライク機構を使用して副打鈴またはアラームを実行するように構成された結合機構６００を備える。逆に、主打鈴モードが選択されたとき、この結合機構６００が、グランド・ストライクを使用する副打鈴またはアラーム機構を結合解除し、副打鈴またはアラームを実行しないか、時計がこのような機構、たとえば振動デバイスを有している場合、副打鈴またはアラーム機構の表示のために準備されているグランド・ストライク以外の機構を使用して、副打鈴またはアラームを実行するかのいずれかである。図面に示されている好ましい実施形態では、大制御デバイス４０１によって制御されるこの結合機構６００は、図１４から１６に示されている結合歯車群１５０を備える。
【００５０】
図２、３、４および１９は、本発明によるリピータ打鈴機構１００を部分的に示している。グランド・ストライクまたはリピータ打鈴機構、特にミニッツ・リピータの従来型の構成要素は、通常の組み合わせを見出すために当業者は前述の著書"Les montres compliquees"を参照することができるため、図示されていない。
【００５１】
打鈴機構の情報収集部材は、図４に見られる、サプライズ部片１０３Ａを備える、従来通りのアワー・スネイル１０１、クォーター・スネイル１０２およびミニッツ・スネイル１０３である。図１７に詳細に示されている、解放レバー１０５は、解放カムまたは類似のものなどの制御機構によって制御される。前記レバー１０５は、ばね１０７によって戻され、第１のこはぜ１０９を備える。この第１のこはぜ１０９は、戻り止めラチェット９と協働するように意図されている。これは、打鈴機構ユニット２内に備えられ、以下で示される。
【００５２】
リピータ打鈴機構１００は、ミニッツ・ラック１１０およびクォーター・ラック１１１、およびアワー・リピータのための、ゴング１１７に対して第１のハンマー１０８を駆動するための第１の上昇部片５８を備える。特定の変形形態では、第２の上昇部片が、第２のハンマー１０６を駆動する。ミニッツ・リピータについては、別の上昇部片１１２が、小ハンマー１１３を駆動する。ラック１１５は、打鈴機構を巻き上げるために使用され、打鈴機構ユニット２内に備えられているラックかな１４と協働するように意図されている。ミニッツ・フック１１６は、打鈴の継続時間を制限するために、打鈴されるべき分および四半時の数に応じて、クォーターとミニッツの間で機構が空転することを防止するために、クォーター・ラック１１１に固定されてよい。ミニッツ・ラック１１０はそのとき同じ休止位置で停止する。
【００５３】
打鈴機構１００は、駆動手段を備える。これは、実際の時計ムーブメント２００の駆動手段と異なっても異ならなくてもよい。この駆動手段は、ここでは詳細に説明されない。これは、ラック押圧部片または類似のものへの使用者の動作によって一般に動力供給される、バレル、ばねまたは類似のものの形態をとってよい。この駆動手段は、１つまたは複数の打鈴機構を動作させるために必要なエネルギーを供給する。これは、打鈴機構の音声生成歯車群へエネルギーを伝達する駆動心棒１２０のみによって、ここで示されている。この駆動心棒１２０は、１つまたはいくつかのハンマーの、ゴング、ベルまたは類似のものへの打鈴を、適切な時期に制御する、打鈴機構１００内に備えられている１つまたはいくつかの枢動ハンマー上昇部片へ、エネルギーを直接伝達する打鈴機構ユニット２を動作状態に設定する。
【００５４】
以下で詳細に説明するように、図面に示されている好ましい実施形態では、副打鈴解放機構１は、本発明に固有の特殊な解放レバー１０５を備える。その枢動運動は、自動的な打鈴モードでは、解放カム５３０によって打鈴機構ユニット２の戻り止めラチェット９に向かって開始され、時計ムーブメント２００の日の裏機構によって駆動される、または打鈴オンデマンドモードでは、使用者によって操作される押圧部片５３５によって作動されたミニッツ・リピータ棒連結機構によってラチェット９に向かって開始される。この解放レバー１０５の戻り止めラチェット９との協働は、解放レバー１０５内に備えられた第１のこはぜ１０９を介して行われる。この第１のこはぜ１０９は第１のばね１０９Ａによって戻され、モード選択手段５００によって選択されたグランド・ストライクおよび他方の主打鈴機構のための戻り止めラチェット９と協働する機能を有する。
【００５５】
本発明によると、図１７に見られるように、解放レバー１０５は、第２のばね２０９Ａによって戻される、第１のこはぜ１０９の平面と平行な異なる平面内に配置された、第２のこはぜ２０９を備える。これは、特にアラームに対して、アラーム打鈴を作動させるために打鈴機構ユニット２に追加される、副打鈴解放歯車１１８の歯と協働する機能を有する。第１のこはぜ１０９と第２のこはぜ２０９の間の選択は、その運動がモード選択手段５００によって制御される制御棒連結機構７００に関着された、段差付枢動セレクタ部品２３３によって行われる。
【００５６】
実際に、図１７に見られるように、解放レバー１０５は、その一方の端部に、２つの平行な隣り合う平面内に２つのこはぜ１０９および２０９を備え、それぞれが、ばね１０９Ａ、２０９Ａによって戻される。第１のこはぜ１０９Ａは、グランド・ストライクおよびカラム歯車５００によって選択された主打鈴機構の他の打鈴のために戻り止めラチェット９と協働する機能を有するが、一方、第２のこはぜ２０９Ａは、副またはアラーム打鈴を作動させるために、解放歯車１１８の歯と協働する機能を有する。枢動セレクタ部品２３３は、段差が付けられ、このようにして、選択された打鈴モードに応じて適切なこはぜを選択する機能を有し、特に、枢動セレクタ部品２３３は、必要時に、第２のこはぜ２０９の嘴部を、打鈴機構ユニット２の解放歯車１１８の歯から解放することができる。
【００５７】
このように、図７および１３に見られるように、レバー１０５は、枢動するときに、セレクタ・レバー４１５および枢動セレクタ部品２３３を備える選択機構によって選択されたそのこはぜ１０９または２０９によって、それぞれ戻り止めラチェット９または解放歯車１１８を解放する。
【００５８】
これを達成するために、大制御デバイス４０１は、大制御デバイス４０１の棒連結機構の周りに横向きに突き出している小アーム４１１を備える。この小アーム４１１は、図１０から１２に見られるように、機構の板の周りにその中央に枢動自在に装着されている、セレクタ・レバー４１５の一方の端部に装着されたピン４１５Ａを駆動する機能を有する。図１３に見られるように、セレクタ・レバー４１５の他方の端部は、時計の板または受けの周りに枢動自在に装着された、その枢動セレクタ部品２３３との関着のためのピン４１５Ｂを備える。
【００５９】
アラーム解放歯車１１８は、打鈴機構ユニット２の戻り止めラチェット９とは独立で、それと並列されており、それぞれ、打鈴機構ユニット２内に従来通りに備えられた、パイプ・ラチェット１１を駆動するフック５上で、中に備えられたピンを介して決して同時ではないが動作することが可能である。このパイプ・ラチェット１１は、さらに、打鈴を実行するために少なくとも１つのハンマー上昇部片５８と協働する少なくとも１つのラチェット１３にと一体である。
【００６０】
前記手段内に備えられた、または前記手段を形成しているモード選択手段５００またはカラム歯車は、受け上でのフック５０７の枢動を制御する。フック５０７の第１の端部は、モード選択手段５００と一体であるラチェット５０５と協働し、フック５０７の第２の端部は、セレクタ・レバー４１５を介して、第１のこはぜ１０９と第２のこはぜ２０９の間での選択を行う枢動セレクタ部品２３３を直接的にまたは間接的に駆動するように構成された、大制御デバイス４０１内の制御棒連結機構７００を駆動するように構成されている。
【００６１】
主打鈴機構および副打鈴、特にアラーム打鈴を制御する３つの制御部材は、
−ここではカラム歯車を備え、図６に見られる、モード選択手段５００を形成している打鈴機構セレクタ５００上のモード選択制御つめ５０１、
−ばね５３４によって休止位置に戻され、第１のミニッツ・リピータ・レバー５３５を直接制御する、ここでは直接示されてないミニッツ・リピータ解放押圧部片、
−以下で説明され、図２および３に見られる、副またはアラーム打鈴を停止するための手動のレバー２１０とばね２１２によって接続された、副またはアラーム打鈴を停止するための手動の押圧部片２１１である。この押圧部片２１１は、副またはアラーム打鈴のサイクルの終了前に、副またはアラーム打鈴を停止することができる。
【００６２】
使用者は、制御つめ５０１を介して、打鈴機構の所望の動作モードを選択する。使用者が副またはアラーム打鈴機能を選択した場合、押圧部片２１１が動作可能にされ、そうでない場合、結合解除される。カラム歯車５００上での選択モードは、排他的に、副またはアラーム打鈴モードか、それに対して打鈴機構１００が考案された、サイレント・モードを含む主打鈴モードのうちの１つのいずれかの、単一のモードである。サイレント・モードを除いて、ミニッツ・リピータは、いかなるときも理論上実行されるが、主打鈴機構の別の打鈴または、副打鈴またはアラームが実行しているとき、安全デバイスがミニッツ・リピータの始動を防止する、またはその逆である。以下で説明される安全機構９００によって形成され、第２の枢動レバー５３６および枢動ボルト５３７を備える、特定の安全デバイスが、ミニッツ・リピータが、すでにトリガ起動され、実行中であるとき、いかなるトリガ起動も動作させないように構成されている。
【００６３】
図２および６は、参照により本明細書に組み込まれる、同一出願人による欧州特許第１  ９３３  ２１２号の教示による、時間設定絶縁器５２１を示している。これは、打鈴機構が解放されたとき、時間設定機構をロックする。
【００６４】
アラーム機能では、結合機構６００が、その制御棒連結機構７００を介して、ある構成要素を、副打鈴またはアラームモードが選択されていないとき、当初の主打鈴機構機能に対して優先権を与えるために絶縁される位置に設定する。この制御棒連結機構７００は、図１８に示した棒連結機構の形態をとる、大制御デバイス４０１を本質的に備える。大制御デバイス４０１は、副またはアラーム打鈴機構の動作を制御するために、副またはアラーム打鈴の実行を解放するために、およびその継続時間を制限するために用意された構成要素と、直接的にまたは間接的に協働する。これらの後者の構成要素は、図に示す好ましい実施形態では、結合歯車群１５０、および調時歯車群１３０に付随する調時フック１４１によって、それぞれ形成されている。
【００６５】
この大制御デバイス４０１はまた、以下で説明するように、絶縁手段８００、すなわちフィーラー・スピンドルつめまたはラックの運動を制限するための第１の絶縁器１４２に属する安全部材と協働する。
【００６６】
図６および８に見られる大制御デバイス４０１は、アラームを実行するためにその機構の部品を使用するために、または、逆に、打鈴機能からアラーム機能を完全に分離するために、グランド・ストライクを制御する。これはアラームの部品、結合機能をすべて支配し、全体の運動が正確に配置されることを確実にする。腕時計に対するその適用例では、大制御デバイス４０１が、時計１０００をほぼ直径方向に通過している。このことは、その機構が部品から遠い機能の間での中間歯車を最小にして、直接作用することを可能にする。大制御デバイス４０１は、剛性であるように作製されてよく、したがって、機構に対して危険であるいかなる操作も防止する安全機能と効率的に協働する。
【００６７】
使用者のモード選択制御つめ５０１への動作が、カラム歯車５００の枢動を開始させる。
【００６８】
図３および６に見られるように、特定の限定されない例では、カラム歯車５００が、４つの歯を有する４つの同軸ラチェットを備える。これらのうちの２つは、反対の方向５０２および５０３であり、図で見ることができ、四葉カム５０４、および受け（図示せず）上で枢動するフック５０７と協働する、ラチェット５０５をさらに備える。
【００６９】
図６に見られるように、フック５０７は大制御デバイス４０１内の矩形穴４３３内で可動であるトラニオン４３２またはピン、およびカム５０４と協働する嘴部を備える。このようにして、カラム歯車５００の枢動はまた、フック５０７の枢動を生じさせ、そのトラニオン４３２が、矩形穴４３３を介して大制御デバイス４０１を押圧する。
【００７０】
この特定の実施形態では、大制御デバイス４０１は、２つの位置の間を移動するのみである。そのうちの一方は、そのためにグランド・ストライクによって実行される、副打鈴機構、特にアラームの巻上げに対応し、他方は、この副打鈴機構またはアラームを降下させる。
【００７１】
カラム歯車５００のラチェット５０２は、ラック・レバー５１２と協働し、その一方の端部は、図３に見られるように、ラック５１３と歯合する歯車５１４上に選択された打鈴モードを表示するためのラック５１３を備える。
【００７２】
ラチェット５０３は、小打鈴のためのアワー絶縁器５０６内に備えられたアームと協働する。
【００７３】
ミニッツ・リピータが動作状態に設定されたとき、第１のミニッツ・リピータ・レバー５３５が、第２のミニッツ・リピータ・レバー５３６を押圧し、アーム・レバー５２３を並進運動させ、さらに、図２に見られるように、大制御デバイス４０１の凹部５３９と協働するように構成されている曲がったアーム・レバー５２２を枢動させる。アーム５２２が次に、アラームを絶縁するために、大制御デバイス４０１を押圧する。大制御デバイス４０１は、ミニッツ・リピータの実行中、次にレバー５１７の嘴部５１８によってその嘴部４３０でロックされる。ミニッツ・リピータが完了した後、レバー５１７が結合解除され、その後、次に大制御デバイス４０１が、復帰ばねの動作によってその位置に戻される。第２のレバー５３６は、使用者による不本意な操作に対する十分な安全デバイスを構成している。
【００７４】
図２０および２７に見られるような打鈴機構ユニット２は、従来のデザインを基にした特殊な実施形態である。しかし、本発明は、さまざまな構成に困難なく適応することが可能である。
【００７５】
この打鈴機構ユニット２は、図３５に示す、枢動軸Ｄの周りで枢動自在に装着されたパイプ４を備える駆動板３を備える。
【００７６】
この駆動板３は、こはぜ５を担持している。こはぜ５は、図２８に見られるように、ばね７によって軸Ｄに向かって戻される嘴部６Ａを備えるフック６を備える。
【００７７】
図２８および２９は、こはぜ５、ばね７、および復帰ばね１８３を備える枢動する止め具１８１を担持している、駆動板３を基にして形成された、本発明に特有の特殊な実装された駆動サブ・アセンブリを示している。これらは、以下で説明する。
【００７８】
打鈴機構ユニット２は、解放レバー１０５の第１のこはぜ１０９によって特に駆動される、主打鈴制御機構１０と協働するように構成されている戻り止めラチェット９を備える。
【００７９】
パイプ４は、リピータ打鈴機構１００の駆動心棒１２０と協働するように構成されている枢動駆動手段を備える。
【００８０】
本発明による機構は、図に示すように、ミニッツ・リピータ用、またはグランド・ストライク用に使用されることができる。グランド・ストライク用の通常の方式では、時計ムーブメント２００が、スネイル１０１、１０２および１０３を駆動し、これらが、一日中正確な時間基準を提供する。
【００８１】
主打鈴モードでは、それが自動的に行われても、手動で行われても、打鈴の解放が、戻り止めラチェット９上での解放レバー１０５の第１のこはぜ１０９の動作を生じさせ、前記ラチェットを枢動させる。結果として、前記ラチェット９によって担持されているピン８が、駆動板３内の穴３Ａの中で移動し、フック６を押圧して、ばね７の休止位置ではフック６の嘴部６Ａと噛合していたパイプ・ラチェット１１の歯１２を解放する。
【００８２】
アワー・ラチェット１３を備える打鈴機構ユニット２の出力ステージはそのとき、軸Ｄの周りを自由に枢動することができる。クォーター・ラック１１１およびミニッツ・ラック１１０と協働しているばねの動作により、アワー・ラチェット１３が、ラックかな１４の結果として枢動される。ラックかな１４は、ラックアームがアワー・スネイル１０１上で停止するまで、ラック１１５によって恒久的に駆動される。
【００８３】
クォーター・ラック１１１のばねが、クォーター・ラック１１１のアームが、クォーター・スネイル１０２上で停止するまで、クォーター・ラック１９のかなを駆動する。ミニッツ・ラック１１０のアームは、クォーター・ラック１１１の運動を介して、従来の方式で、ミニッツ・スネイル１０３上のその位置をとる。打鈴機構が動作状態に設定されたとき、ピン８が解放され、ばね７が、フック６の嘴部６Ａをパイプ・ラチェット１１の歯１２と再び噛合させ、このことが、各ハンマー上のさまざまな上昇部片を作動させる。
【００８４】
図３６に見られるこの戻り止めラチェット９は、ピン８を担持している。ピン８は、図３５に示す駆動板３内に備えられた穴３Ａを通してこはぜ５に作用し、主打鈴制御機構１０または解放レバー１０５、またはリピータ打鈴機構１００内に備えられたレバー１０５の第１のこはぜ１０９の動作によって、フック６を動作させる。
【００８５】
このこはぜ５はこのようにして、このピン８の動作によって好ましくばね７に対してはほぼ半径方向に、すなわち板３の縁部に向かって移動可能である。
【００８６】
図３７に見られるように、打鈴機構ユニット２は、軸Ｄの周りで、駆動板３のパイプ４上に枢動自在に装着されるように構成されたパイプ・ラチェット１１を備える。このパイプ・ラチェット１１は、図３７に見られるように、中に備えられた歯１２を介して、こはぜ５のフック６の嘴部６Ａと協働するように考案されている。この嘴部６Ａは、その位置に応じて、パイプ・ラチェット１１の枢動を可能にするまたは防止する。
【００８７】
パイプ・ラチェット１１は、少なくとも１つの第１のアワー・ラチェット１３とともに軸Ｄの周りに一体に枢動するように装着されている。アワー・ラチェット１３は、主打鈴を解放するために、リピータ打鈴機構１００内に設けられたハンマーを駆動するために、少なくとも１つの上昇部片５８と協働するように構成されている。特定の変形形態では、第１のアワー・ラチェット１３が、基本打鈴に対して時間をずらされた、および特にある時間スロット内での追加の打鈴を解放するために、それに対して角度をつけて移動された第２のアワー・ラチェット１５と一体に枢動することができる。
【００８８】
本発明によると、図２０、２７および３０に見られるように、打鈴機構ユニット２は、副打鈴がアラーム打鈴と無関係であるときに主打鈴とは異なる副打鈴を解放するための、解放歯車１１８、特にアラーム解放歯車をさらに備える。この特定の好ましい実施形態に示されているように、副打鈴は、特に、少なくとも１つの他のハンマー上への少なくとも１つの他の上昇部片の作用によって、少なくとも１つの他のゴング上で主打鈴機構を動作させるために使用されたものと同じ駆動手段１２０からのエネルギーを使用して、行われてもよい。この解放歯車１１８は、戻り止めラチェット９と並列しており、それぞれ副打鈴または主打鈴を実行するための音声機構へのエネルギーの伝達を可能にするために、それぞれが決して同時ではないがピンを介してフック６に作用することができる。
【００８９】
実際、解放歯車１１８および戻り止めラチェット９は、互いに独立であり、それぞれが、それぞれ副打鈴または主打鈴の実行を開始させるために選択された異なる制御手段によって制御される。また、解放歯車１１８および戻り止めラチェット９は、フック６上で決して同時ではないが協働するように構成されている。
【００９０】
好ましい変形形態によると、解放歯車１１８は、副またはアラーム打鈴の実行の継続時間を調整および制限するために、以下で説明する継続時間リミッタ調時歯車群１３０内に設けられた調時歯車１３２と協働するように構成されている。好ましくは、制御棒連結機構７００、および特に大制御デバイス４０１は、副またはアラーム打鈴サイクルの終わりに調時歯車１３２をロックするように構成されている。
【００９１】
この調時歯車群１３０は、副またはアラーム打鈴の継続時間を所定の値、たとえば、図に示されている時計１０００では２０秒の継続時間に制限する機能を有する。
【００９２】
本発明による別の特徴によると、駆動板３は、副打鈴機構と呼ばれる他の音声送出に対応する副打鈴解放機構１の制御棒連結機構７００によって担持されている結合歯車群１５０と協働するように構成されている周縁歯１１９を備える。
【００９３】
この周縁歯１１９は、グランド・ストライク機構からの駆動力が、副打鈴機構、ここでの図面の例ではアラーム打鈴機構を駆動するために使用されることを可能にする。アラームの例は、限定されるものではなく、自動人形などの機構を駆動するなど他の適用を想定することが可能である。
【００９４】
より具体的には、打鈴機構ユニット２は、駆動板３を備え、駆動板３は、それと恒久的に噛合される結合歯車群１５０内に備えられたかな１５８と協働するための周縁歯１１９を備える。この結合歯車群１５０は、前記かな１５８を、その位置に応じて、ハンマー１０６がアラーム打鈴を実行するための少なくとも１つの上昇部片１６２と協働するように構成されている星形歯車１６１を担持しているかな１５９と協働させるまたは協働させないように、制御棒連結機構７００内に備えられた大制御デバイス４０１によって斜めに運動する。
【００９５】
好ましくは、打鈴機構ユニット２は、アワー・ラチェット１３と一体に軸Ｄの周りに枢動するように装着され、ラック１１５と協働するように構成されている、図２７に見られる、ラックかな１４をさらに備える。
【００９６】
好ましくは、パイプ・ラチェット１１のパイプ１６は、図２５に見られる、打鈴機構ユニット２内に備えられた、枢動自在に運動可能な、クォーター・ラックかな１９を受けるように構成された円筒形のショルダ１７を備える。このかな１９は、このタイプの打鈴機構１００のクォーター・ラック１１１と協働するように構成され、ピン２１を担持している。このパイプ１６は、たとえば、打鈴機構ユニット２内に備えられたつめ２２のための、ケリー・ブッシュまたは類似のものの形態の枢動駆動手段１８を備える。このつめ２２は、クォーター・ラック１１１がつめ２２を動かすことができる単一の枢動方向に枢動するとき、かな１９を枢動させるために、図２７に見られるピン２１と協働するように構成されているベアリング面２３を備える。
【００９７】
つめ２２は、アワー・ラチェット１３と一体に、またはその正方形の雌部を介してそれに固定されており、かな１９が、クォーター・ラック１１１のみによって作用される位置で停止することを可能にする。ベアリング面２３とピン８の間の角度のずれが、打鈴が開始する前に、打鈴すべき時間の数に応じてこのように増加する。
【００９８】
打鈴機構ユニット２の組立は、ワッシャ２４Ａ上で支持され、駆動心棒１２０またはそれによって担持された歯車群に組み付けられた、ねじまたは類似のもの２４によって行われる。
【００９９】
駆動板３のパイプ４は、リピータ打鈴機構１００の駆動心棒１２０と協働するように構成されている、たとえば正方形雌部または類似のものの形態の枢動駆動手段を好ましくは備える。
【０１００】
駆動板３は、主打鈴制御機構１０または解放レバー１０５、またはこのタイプのリピータ打鈴機構１００内に備えられた、このタイプのレバー１０５の第１のこはぜ１０９の動作によって、フック６を動作させるための戻り止めラチェット９のピン８を通過させるための穴３Ａを備える。
【０１０１】
グランド・ストライク・リピータ機構１００の解放レバー１０５は、駆動板３とアラーム解放歯車１１８の間に挿入された、戻り止めラチェット９上のその第１のこはぜ１０９と当接し、このようにして前記戻り止めラチェット９を駆動する。
【０１０２】
戻り止めラチェット９は、駆動板３と解放歯車１１８の間に挿入されている。図３０、３１、３４および３６に見られるように、戻り止めラチェット９は、矩形穴１７１を備え、その中でねじ１７３が制限された角度行程で自由に動くことができる。前記ねじは、こはぜ５を担持している面に対向する駆動板３の面に固定されている。
【０１０３】
この戻り止めラチェット９は、アラーム解放歯車１１８上に装着されたピン１７５に、それらの間の角度枢動行程を制限するような制限された運動を可能にする、別の矩形穴１７２をさらに備える。
【０１０４】
解放歯車１１８が戻り止めラチェット９の周りを枢動するとき、それによって担持されているピン１７５が、図２９および３２に見られるように、駆動板３内に備えられた行程制限穴１７６によって制限される円の弧を通って移動する。このピン１７５は、こはぜ５の一方の端部１８６を押圧するように構成されている。
【０１０５】
ロック止め１８１が、駆動板３上で枢動される。これは、カム１８２を備える。ばね１８３が、カム１８２に作用し、止め具１８１を枢動させ、その隅部１８４を、斜面を形成しているこはぜ５の傾斜面１８５に押圧するようにする。
【０１０６】
ばね７の動作が、こはぜ５の内側の嘴部６Ａを、図２９に見られるように、まさにピン１７５がその穴１７６内で円の弧を描き、こはぜ５の前端部１８６を押圧しているときを除いて、下流段階１のパイプ・ラチェット１１上に戻し、前記ラチェットをロックするように傾斜する。このことは、歯６Ａをパイプ・ラチェット１１から解放する。
【０１０７】
ピン１７５が止め具１８１の枢動軸から最も遠い位置を占めているとき、止め具１８１は、図３３に見られるように、ばね１８３の動作によって傾斜して、中に備えられた平坦な部分１８７を介して、ピン１７５を保持することができ、このようにしてロック動作を及ぼす。
【０１０８】
いったん打鈴機構が動作状態に設定されると、止め具１８１は、それが解放歯車１１８上の調時歯車１３２の動作によって継続時間の終わりでロック解除されるまで、当接状態でロックされたままである。また、調時歯車１３２は、副またはアラーム打鈴が、設定された時間内に実行された後、前記止め具をロック解除する。好ましくは、打鈴が終了したとき、調時歯車１３２が回転の４分の３を完了する前に、このロック解除が行われる。
【０１０９】
副またはアラーム打鈴機構が、副またはアラーム打鈴制御機構４００によって、プログラムされた時間に解放されたとき、前記機構４００が、打鈴機構ユニット２の解放歯車１１８を枢動させるように、解放レバー１０５を動作させる。
【０１１０】
解放レバー１０５の手動動作が、レバー５２３および５２２を動かす。前記解放レバー５２２が、大制御デバイス４０１を上昇させる。そのばねの動作によって、嘴部５１７を備えるレバーが、その嘴部４３０に当接するこの位置に、大制御デバイス４０１を保持する。嘴部５０７を備えるレバーが、ミニッツ・リピータが動作している間、この場合、嘴部５１７を備えるレバーをロックする。
【０１１１】
主打鈴機構内の打鈴機構ユニット２が動作しているとき、戻り止めラチェット９の枢動の結果、このようにして駆動板３上で枢動するこはぜと協働するそのピン８の角度移動および、打鈴機構ユニット２のパイプ・ラチェット１１によって担持されている歯１２からのフック６の嘴部６Ａの解放が生じる。
【０１１２】
副打鈴機構が動作しているとき、アラーム解放歯車１１８と一体である、またはそれに固定されているピン１７５が、こはぜ５の端部１８６を駆動し、このようにしてフック６のレバー６Ａを上昇させ、止め具１８１によるピン１７５のロックが、解放歯車１１８が休止位置解放であるところの解放位置に懸架されることを可能にする。
【０１１３】
本発明の利点は、絶縁機構８００を備えることである。絶縁機構８００は、一方では、時計ムーブメント２００を、および他方では、前記時計ムーブメント２００によって駆動される時間基準上に時間情報を収集するためのフィーラー・スピンドルを備える少なくとも１つの打鈴機構を備えるいずれかの時計のために考案されている。本発明によると、この絶縁機構８００は、前記時計１０００内に備えられた制御機構と協働するように構成されている、少なくとも１つの第１の絶縁器１４２を備える。第１の巻上げ位置では、時間情報収集フィーラー・スピンドルが、時間基準の情報を検索することを防止する停止位置をとり、第２の低下位置では、フィーラー・スピンドルが時間基準を通過しそれと接触することを可能にするように構成されている。
【０１１４】
より具体的には、この絶縁機構８００は、音響信号を実行するために、同じ打鈴またはグランド・ストライクまたはミニッツ・リピータ機構１００を使用することによって少なくとも部分的にさまざまな音響信号を発するために時計機構を絶縁するように構成されている。特に、少なくとも１つの機構は、時計ムーブメント２００によってプログラムされた時間にまたは必要に応じて主打鈴を解放するように構成されている主打鈴制御機構１０である。各打鈴機構のシークエンスは、時計ムーブメント２００によって駆動される時間基準の一時的な情報を収集するフィーラー・スピンドルによる、情報の検索によって決定され、これらの機構の少なくとも１つの他のものが、副打鈴制御機構４００である。この時計１０００は、所与の時刻に、単一の副打鈴制御機構４００、または単一の主打鈴制御機構１０のいずれかの、排他的な動作を可能にするように構成された結合機構６００を備える副打鈴解放機構１をさらに備える。
【０１１５】
本発明によると、絶縁機構８００は、主打鈴制御手段１０内に備えられた時間情報収集フィーラー・スピンドルが、時間基準に対する情報を検索することを防止する停止位置をとるように構成された副打鈴制御機構４００によって巻き上げられたとき、前記結合機構６００と協働するように構成されている少なくとも前記第１の絶縁器１４２を備える。副打鈴制御機構４００、たとえば図面の例のアラーム機構４００が低下位置にあり、主打鈴制御機構１０が動作しているとき、逆に、前記フィーラー・スピンドルが時間基準を通過し、それと接触できるように、副打鈴制御機構４００が動作する。
【０１１６】
絶縁機構８００は、前記第１の絶縁器１４２と同じ大制御棒連結機構４０１によって担持されている、大制御棒連結機構４０１上に枢動自在に装着され、時間情報収集フィーラー・スピンドルの行程を制限することに加わる、調時フック１４１によって形成された止め具部材をさらに備える。
【０１１７】
制御棒連結機構７００は、主打鈴制御手段１０内に備えられた情報収集フィーラー・スピンドルが、副またはアラーム打鈴制御機構４００が、副またはアラーム打鈴を駆動するように動作しているとき、時計ムーブメント２００によって駆動される時間基準に関する情報を検索することを防止する停止位置をとるように、副またはアラーム打鈴制御機構４００が低下位置にあり、打鈴またはグランド・ストライク機構１００が動作しているとき、前記フィーラー・スピンドルが通過および接触するように、モード選択手段５００によって作動される大制御デバイス４０１によって直接的にまたは間接的に制御される少なくとも１つの第１の絶縁器１４２を備える、絶縁機構８００を制御する。
【０１１８】
このようにして、解放歯車１１８が解放されるが、クォーター・ラック１１およびミニッツ・ラック１１０のラック組立体１１５のラックは、それらのそれぞれのアワー・スネイル１０１、クォーター・スネイル１０２およびミニッツ・スネイル１０３から情報を収集することができない。これは、これらが、ラックをロックするための第１の絶縁器１４２を備える、調時フック１４１によっておよび絶縁機構８００によって形成された止め具部材またはボルトによって妨害されるためである。この調時フック１４１および第１の絶縁器１４２は、図８に見られるように、大制御デバイス４０１によって、および図２および３に見られる小打鈴機構５０６のアワー・ブレーク・レバーによって、制御される。第１の絶縁器１４２は、好ましくは時間情報収集フィーラー・スピンドルに対して、特にラックまたはつめに対して平行なさまざまな平面内に障害物を形成するように意図されたボス４０７を備える。
【０１１９】
結果として、駆動板３が枢動を開始するが、フック６のつめ６Ａが空気中でロックされるため、これは、グランド・ストライク係数部品を駆動することができない。しかし、前に説明したように、駆動板３の周縁歯１１９が、結合歯車群１５０のアーム上に装着されたかな１５８を駆動する。
【０１２０】
図１４に示すがそれに限定されない実施形態では、結合歯車群１５０は、他の構成要素のアクセスを可能にするような、３本のアームを備える。これら３本のアーム１５６のうちの１つは、駆動板３の歯１１９と恒久的に協働するかな１５８を担持している。
【０１２１】
第２のアーム１５４は、開口部４３１内で移動することができるピン１５７を担持している。開口部４３１は、ここではほぼ正方形であり、大制御デバイス４０１内に備えられており、その位置が結合歯車群１５０の角度位置をこのようにして決定する。第３のアーム１５５は、復帰ばね１９０と接触するために使用されるピン１９１を担持している。
【０１２２】
結合歯車群１５０の結合位置のうちの１つで、かな１５８が、星形歯車１６１と一体に枢動するように装着された別のかな１５９と噛合する。この星形歯車１６１は、星形歯車１６１の枝の数によって決定される速度で、ハンマー１０６を作動させることによってアラーム打鈴を鳴動させるように、少なくとも１つの上昇部片１６２の運動を制御する。
【０１２３】
この運動が行われると、調時歯車群１３０と呼ばれる調時制御部材が作動される。時計機構のためのこの調時歯車群１３０は、機能の開始の後で機能の実行の継続時間を制限するように考案され、その開始が前記機能の解放を開始する解放要素と協働するように構成されている。これは、前記機能を結合する手段６００と協働するようにさらに構成されている。本発明によると、調時歯車群１３０は、ラチェット１３３と協働するように、またはラチェット１３３から係合解除されるように、前記結合手段６００によって動作するように構成されている調時フック１４１を備える。このラチェット１３３は、それに向かって弾性の復帰手段１３５によって前記調時歯車１３２の角度位置に向かって枢動することによって戻される調時歯車１３２と同軸の心棒上に枢動自在に装着されている。この調時歯車１３２は、前記解放要素と直接的にまたは間接的に、協働するように構成されている。
【０１２４】
図２４に示されている、この調時歯車群１３０は、信号の継続時間、特にここではアラーム打鈴の継続時間を調節することができる。これは、いずれかの所望の調時のために、または、爆発調時デバイスまたは他のデバイスなどの時計学から派生する用途のために使用することができる。
【０１２５】
本発明は、運動の開始によって時計機構の時計機能の解放を開始する解放要素を備え、かつ前記機能を結合する手段６００をさらに備える、時計機構の時計機能の継続時間を制限するための機構３３０に関する。本発明によると、前記継続時間制限機構３３０は、前記機能の開始の後の前記機能の実行の継続時間を制限するためのこのタイプの調時歯車群１３０を備え、前記調時歯車群１３０は、前記解放要素と協働するように構成され、かつ前記結合手段６００と協働するようにさらに構成されている。
【０１２６】
本発明によると、この解放要素は，解放歯車群または打鈴機構ユニット２の解放歯車１１８によって形成される。
【０１２７】
この解放歯車１１８は、図３２に見られるように、その軸に対して平行なピン１７５を備える。図によって示されている適用例の解放歯車、または打鈴機構ユニット２が、図２９に見られるように、一方では調時歯車１３２と噛合する解放歯車１１８のピン１７５によって付与され、および他方ではばね１８３によって付与される力が、拮抗的に付与される、ロック手段１８１を備える。
【０１２８】
調時歯車１３２の調時ラチェット１３３の周りの第１の枢動行程では、ロック手段１８１上のピン１７５を介して前記弾性の復帰手段１３５によって付与される復元力が、駆動手段１２０と接続された、パイプ・ラチェット１１によって駆動される、機能が実行されることを可能にするためにばね１８３によって前記ロック手段１８１に付与される力よりも小さい。一方、調時歯車１３２の調時ラチェット１３３の周りの第２の枢動行程では、ロック手段１８１上のピン１７５を介して弾性の復帰手段１３５によって付与される復元力が、ばね１８３によってロック手段１８１に付与される力よりも大きく、関連する機能の実行を停止するためのパイプ・ラチェット１１上のこはぜ５の閉鎖運動を解放するためのピン１７５の運動を可能にする。
【０１２９】
このラチェット１３３は、調時歯車１３２と一体のまたはそれに固定された相補的な停止手段１３７に当接することによって、調時歯車１３０の低下位置で協働するように構成されている停止手段１３６を備える。この停止手段１３６および相補的な停止手段１３７は、ラチェット１３３が調時フック１４１による枢動を防止されるとき、弾性の復帰手段１３５を巻き上げることにより調時歯車１３２を駆動する解放要素の運動によって、互いから遠ざかるように動かされる。
【０１３０】
この調時歯車群１３０は、解放歯車１１８と噛合する調時歯車１３２を備える。その一方のシャフト端部が、調時歯車１３２上へ動かされる板１３１、および調時ラチェット１３３が、前記調時歯車１３２に同軸に装着されている。この調時ラチェット１３３は、板１３１と調時歯車１３２の間で捕捉されているが、前記板と歯車の周りを自由に枢動する。調時ラチェット１３３は、相補的な停止手段１３７を形成している、板１３１内に備えられた半径方向のピンと相互作用するように、停止手段１３６を形成している、枢動軸に対して平行に装着されたピンを備える。
【０１３１】
調時ラチェット１３３のピン１３６はまた、弾性の復帰手段１３５を形成しているつるまきばねの一方の端部を引掛けるために使用される。つるまきばねの他方の端部は、その穴１３９が板１３１の別のシャフト部品１３８と協働する、止め具１３４によって担持されている。
【０１３２】
調時ラチェット１３３は、図１１に見られるように、好ましくは大制御デバイス４０１と結合され、調時ラチェット１３３を保持している調時フック１４１と協働する。
【０１３３】
図面に示されている特定の適用例では、継続時間制限機構３３０が、打鈴の動作の継続時間を制限するための歯車群を形成しており、解放歯車１１８は、打鈴機構ユニット２に属し、枢動軸Ｄの周りに枢動自在に装着されたパイプ４を備える駆動板３を備え、前記駆動板３が、ばね７の軸Ｄに向かって戻される嘴部６Ａを備えるフック６を備えるこはぜ５を担持している。このこはぜ５は、戻り止めラチェット９のピン８の動作によってばね７に対して運動することができ、戻り止めラチェット９は、打鈴機構ユニット２内に備えられ、主打鈴制御機構１０と協働するように構成されている。前記パイプ・ラチェット１１を備える打鈴機構ユニット２は、軸Ｄの周りでパイプ４に枢動自在に装着されるように、および、中に備えられた歯１２を介して、その位置に応じてパイプ・ラチェット１１の枢動を可能にするまたは防止する前記嘴部６Ａと協働するように構成されている。このパイプ・ラチェット１１は、打鈴機構のハンマーを駆動するために、第１の上昇部片と協働するように構成された第１のアワー・ラチェット１３と軸Ｄの周りで一体に枢動するように装着されている。解放歯車１１８は、戻り止めラチェット９とは独立しており、この主打鈴制御機構１０以外の制御手段によって制御され、また解放歯車１１８および戻り止めラチェット９は、それぞれ、異なる音声送出を生成するための音声機構へのエネルギーの送出を可能にするように、フック６上で決して同時ではないが両方協働するように構成されている。
【０１３４】
この継続時間制限機構３３０では、ロック手段１８１は、駆動板３上で枢動するロック止めによって好ましくは形成されている。この止め具１８１は、ばね１８３に作用するカム１８２を担持しており、ばね１８３は、止め具１８１を枢動させ、その隅部１８４をこはぜ５の傾斜表面１８５上に押圧するようにする。ばね７の作用は、ピン１７５が、駆動板３の穴１７６内で円の弧を描き、解放歯６Ａをパイプ・ラチェット１１から解放するためにこはぜ５の前端部１８６を押圧するときを除いてこはぜ５の内側の嘴部６Ａをパイプ・ラチェット１１上に復帰させてロックするようにする。ピン１７５が止め具１８１の枢動軸から最も離れた位置を占めているとき、止め具１８１は、その平坦な位置１８７を介して、ピン１７５を保持するためにばね１８３の作用によって傾斜され、このようにしてロック動作を行う。
【０１３５】
打鈴機構ユニット２のアラーム解放歯車１１８が、図２２の調時歯車１３２を反時計方向に動かすとき、したがって板１３１を動かすとき、調時フック１４１がそのときにラチェット１３３をロックするためつるまきばね１３５が巻き上げられる。調時ラチェット１３３のピン１３６と当接していた板１３１の最小の保持のための半径方向のピン１３７が、前記ラチェットと離れて、角度行程を描く。この角度行程は、好ましくは２７０°に制限される。この段階で、つるまきばね１３５によって付与された力が、フック５のボルトのロック力とつり合う。
【０１３６】
アラーム機能では、調時フック１４１が、ばね１８３の力に勝ち、ロック止め１８１（図２９に示す）が休止位置に配置されることを可能にするために、駆動板３にトルクを付与するようにラチェット１３３を保持する。つるまきばね１３５は、前記ばね１８３の機能として較正される。このようにして、つるまきばね１３５の巻上げがばね１８３の力よりも大きいとき、アラーム解放歯車１１８のピン１７５が、ロック止め１８１を押し戻し、このことが、フック５を解放し、次に調時歯車群２のパイプ・ラチェット１１を引掛けて、何度か枢動した後、組立体を休止位置へ戻す。すると、打鈴が停止される。
【０１３７】
フック１４１が解放されたとき、ラチェット１３３が、ピン１３６が、板１３１のピン１３７と当接しているところの、その待受位置へ戻るように枢動する。フック１４１が上げられた場合、調時歯車群１３０が、自由に回転する。
【０１３８】
調時フック１４１は、解放レバーに力を及ぼすように調時歯車１３２をロックするように構成された、図１０に示すピン４０５を担持している。手動動作では、歯車がこのようにして、短回路調時歯車群１３０にロックされる。
【０１３９】
調時フック１４１が自由位置に設定され、ラチェットへ戻り、打鈴機構ユニット２を解放する。調時フック１４１は、アラーム解放歯車１１８を再び引掛け、さまざまなラックを休止位置へ戻すように、あと少しの角度だけ、グランド・ストライク組立体を動かす。
【０１４０】
このようにして、部品のすべてが休止位置になり、調時フック１４１が、ばね１３５の動作によって調時ラチェット１３３を解放して、休止位置へ戻す。この時間の間、大制御デバイス４０１上の調時フック１４１の枢動軸４０５が、調時歯車１３２の歯と相互作用し、前記歯車をロックする。
【０１４１】
副またはアラーム打鈴機能の作動または非作動は、大制御デバイス４０１を操作することに関連する。副またはアラーム打鈴機能が非作動とされたとき、この大制御デバイス４０１が結合機構６００の結合歯車群１５０に作用する。大制御デバイス４０１はしたがって、必要に応じて、星形歯車１６１を担持しているかな１５９から遠ざかるように、またはかな１５９に近づくように、かな１５８を動かすことによって結合歯車群１５０に作用する。
【０１４２】
受け（図示せず）上の枢動軸４０８上に枢動自在に装着された第１の絶縁器１４２が、クォーター・ラック１１１の軌道を離れ、調時フック１４１が空中に保持される。
【０１４３】
さまざまな打鈴機構のサイクルが、継続することができ、セレクタ・レバー４１５が、２つのこはぜ１０９または２０９のうちの１つを選択することができる。
【０１４４】
このようにして、本発明は、副またはアラーム打鈴機能の音響表示を達成するために、グランド・ストライク機構の全部または一部を使用する。
【０１４５】
図１１に見られるように、第１の絶縁器１４２は、中に備えられたトラニオン４０４の上で、大制御デバイス４０１内に備えられ前記デバイスの長手方向に対して斜めに配置された溝４０３内を移動可能である。
【０１４６】
この第１の絶縁器１４２は、クォーター・ラック１１１およびミニッツ・ラック１１０のラックの経路内に障害物を作成するように、また、図８に見られるように、それによって前記ラックがクォーター・スネイル１０２およびミニッツ・スネイル１０３とそれぞれ接触することを防止するように構成された、突き出しているボス４０７を担持している。したがって、この第１の絶縁器１４２は、打鈴機構が音響信号発生器として動作することは防止しないが、クォーター・ラック１１１およびミニッツ・ラック１１０の制御の下で動作することを防止する。打鈴ハンマー機構は、このようにしてアラーム打鈴を生成することができる。
【０１４７】
大制御デバイス４０１へ付与された運動は、調時フック１４１が前方または後方へ移動することを可能にする。大制御デバイス４０１内に配置された溝４０３が、第１の絶縁器１４２が枢動されることを可能にする。大制御デバイス４０１の一方の端部では、開口部４３１が、図１４から１６に示す、結合歯車群１５０が枢動することを可能にする。歯車群１５０は、前記開口部４３１内で運動可能であるピン１５７を備えるアーム１５４を備える。
【０１４８】
制御棒連結機構７００は、絶縁機構８００を制御する。絶縁機構８００は好ましくは、大制御デバイス４０１によって直接的にまたは間接的に制御され、調時歯車群１３０内に備えられた調時ラチェット１３３と協働する調時フック１４１を、その位置に応じて動作または非動作状態に配置するためのモード選択手段５００によって作動され、副またはアラーム打鈴信号の継続時間を調節するように構成され、副打鈴制御機構４００によって制御される、少なくとも１つの第２の絶縁器１４３を備える。
【０１４９】
このようにして、機構は、図８から１１に見られる、大制御デバイス４０１と一体である、またはそれに固定されている別の第２の絶縁器１４３を備える。この第２の絶縁器は、図１０に見られる、大制御デバイス４０１の長手方向に対して斜めに突き出しており、調時フック１４１をその位置に応じて動作または非動作に配置する機能を有する大きいアーム１４３Ａを担持している。調時フック１４１は、図１０および１４に見られるばね４０６Ａによって復帰され、大アーム１４３Ａがピン４０６に当接する。
【０１５０】
継続時間制限機構３３０は有利には、図１０に見られる、レバー２１０を備える。レバー２１０は、打鈴、この好ましい適用例では特にアラーム打鈴を手動で止めるために、ばね２１２を介して押圧部片２１１と連結され、使用者が押圧部片２１１を操作したとき調時歯車１３２をロック解除するように、調時フック１４１をフック解除するために、調時フック１４１を枢動させるように構成されている。調時フック１４１をフック解除するために、レバー２１０は、アーム１４３Ａの下の調時フック１４１の丸い縁部と協働するように構成され、極めて長い前記レバー２１０のためのガイド表面として働く。その後、押圧部片２１１への作用が、レバー２１０および調時フック１４１を介して調時歯車１３２をロック解除し、その後レバー２１０が枢動する。
【０１５１】
大制御デバイス４０１の小アーム４１１が大制御デバイス４０１の平面に対して中心のずれた平面内に配置されることを可能にする本発明の限定されない実施形態では、前記小アームが、第２の絶縁器１４３内に組み込まれ、大制御デバイス４０１に対して、大アーム１４３Ａとは反対側に横方向に突き出している。
【０１５２】
好ましくは、打鈴またはグランド・ストライクまたはミニッツ・リピータ機構１００が、第１のミニッツ・リピータ制御レバー５３５を押圧する押圧部片を押圧することによって、使用者によって作動されることが可能なミニッツ・リピータ機構を備えるとき、機構１は、安全機構９００を備える。
【０１５３】
この安全機構９００は、ミニッツ・リピータの不本意な動作を防止するように考案されており、時計ムーブメント２００を備え、解放カム５３０を駆動する日の裏機構をさらに備える時計１０００のために設計されている。自動モードでは、このカム５３０は、解放レバー１０５を、ミニッツ・リピータを含むこのタイプの打鈴機構１００の打鈴機構ユニット２内に備えられた戻り止めレバー９のほうへ枢動させる。この打鈴機構ユニット２は、打鈴が駆動されたとき、巻上げカム４４０を担持している板５２５を駆動するように構成されている。
【０１５４】
本発明によると、この安全機構９００は、この第１のレバー５３５と協働するように構成されている。これは、ミニッツ・リピータ動作状態に設定されたとき、その枢動が第１のレバー５３５によって制御される第２の枢動する安全レバー５３６を備える。この第２のレバー５３６は、ミニッツ・リピータがいったん動作状態に設定された後、再び解放されることを防止するために、ばねによって戻される枢動ボルト５３７内に備えられたつめ５３７Ａと協働するように構成されているキャッチ５３６Ａを備える。ボルト５３７は、ミニッツ・リピータによるタイム表示打鈴サイクルの終わりにのみ解放される。
【０１５５】
この安全機構９００は、ばね５３４によって休止位置に戻され、第１のミニッツ・リピータ・レバー５３５を直接制御している、このミニッツ・リピータ解放押圧部片によって形成される、使用者インターフェイスと、
第１のレバー５３５と協働するように構成されている打鈴の解放のための第２の安全レバー５３６を備える打鈴機構の解放要素と接続されている中間押圧部片との、
２つの部品で形成されている。
【０１５６】
第１のレバー５３５は、ミニッツ・リピータが動作状態に設定されたとき、第２のレバー５３６の枢動を制御する。図２１に見られるように、第２のレバー５３６は、一方では、ミニッツ・リピータがいったん動作状態に設定された後、再び解放されることを防止するために、ばねによって戻される枢動ボルト５３７のつめ５３７Ａと協働するように構成されているキャッチ５３６Ａ、および他方では、ミニッツ・ブレーク・レバー（ここでは図示せず）を結合解除する機能を有する嘴部５３６Ｃを備える。押圧部片を手動で押圧することによって、第２のレバー５３６が枢動され、クォーターおよびミニッツ・ラックおよび／または部片内に設けられたつめで形成された時間情報収集フィーラー・スピンドルが、時計ムーブメント２００によって駆動され、スネイルまたは類似のものによって形成される時間基準上で、主打鈴機構が実行しなければならない打鈴シークエンスに関する情報を検索することを可能にするように、安全デバイスを解放するようにする。
【０１５７】
ボルト５３７は、ミニッツ・リピータによるタイム・表示の打鈴サイクルの終わりでのみ解放され、第２のレバー５３６の枢動が、アーム・レバー５２３の並進運動を生じさせ、これがさらに、大制御デバイス４０１内の凹部５３９と協働するように構成されているアーム・レバー５２２を枢動させる。アーム・レバー５２２は次に、ミニッツ・リピータの動作中、アラームを絶縁するために、レバー５１７の嘴部５１８によって前記連結機構を大制御デバイス４０１の嘴部４３０にロックすることによって制御棒連結機構７００、特に大制御デバイス４０１を押圧する。このレバー５１７は、大制御デバイス４０１が復帰ばねによってその場所へ復帰されることを可能にするように、ミニッツ・リピータが終了した後結合解除される。
【０１５８】
このように、図５に見られるように、ミニッツ・リピータ・レバー５３５は、第２のミニッツ・リピータ・レバー５３６を枢動させるように構成され、いったん動作状態に設定された後ミニッツ・リピータが再び解放されることを防止するために、そのキャッチ５３６Ａは、ばねによって戻される枢動ボルト５３７のつめ５３７Ａと協働するように構成されている。ボルト５３７が解放され、ミニッツ・リピータ解放釦が動作されることを再び可能にするのは、ミニッツ・リピータによるタイム表示の打鈴サイクルの終わりのみである。
【０１５９】
第１のレバー５３５は、ばね５３５Ａを備える。第１のレバー５３５内に、または図２１Ａに見られる休止位置での前記アーム５３５Ｂのほぼ円形のカム５３５Ｄの端部に、または、図２１Ｂの位置での打鈴の解放に対して、２１Ｃでの中間押圧部片を形成している第２のレバー５３６のロックに対して、このカム５３５Ｄの内部に備えられた、傾斜端部５３５Ｃが、枢動アーム５３５Ｂを押圧する。
【０１６０】
第２のレバー５３６は、アーム５２３内に備えられたピン５２３Ａと当接して協働するように構成されている嘴部５３６Ｂを備える。第２のレバー５３６は、そのベアリング面５３１Ａが、板または受け上に枢動自在に装着されたフック５２９のベアリング面５２９Ａを押圧するように構成されている、枢動するフック解除レバー５３１をさらに備える。アーム５２３は、フック５２９の対向するベアリング面５２９Ｂに反対方向に圧力を付与するように構成された第２のピン５２３Ｂを備える。
【０１６１】
図２１Ａ、２１Ｂ、２１Ｃは、この安全機構９００の３つの連続する動作ステップを示している。
【０１６２】
図２１Ａでは、打鈴機構が、アイドル・モードにある。ばね５３５Ａの傾斜端部５３５Ｃが、枢動アーム５３５Ｂのカム５３５Ｄの端部と当接している。この枢動アーム５３５Ｂは、第１のベアリング表面５３５Ｅを介して、第２のレバー５３６と当接している。第２のレバー５３６は、ボルト５３７がキャッチ５３６Ａから解放されるような位置にある。アーム５２３のピン５２３Ｂは、フック５２９にいかなる作用も及ぼさない。
【０１６３】
図２１Ｂは、打鈴の解放に関する。使用者によって作動されると、押圧部片５３５が、矢印Ａの方向に枢動し、ばね５３５Ａが、カム５３５Ｄの内部に当接する。このようにして、アーム５３５Ｂが、第２のベアリング表面５３５Ｆを介して、第２のレバー５３６を押圧する。第２のレバー５３６が次に、ボルト５３７を引掛ける。その枢動が、アーム５２３を動かし、アーム５２３が、第２のレバー５３６の嘴部５３６Ｂによって、そのピン５２３Ａ上で動かされる。その第２のピン５２３Ｂを介して、アーム５２３がさらに、フック５２９のベアリング面５２９Ｂを動かす。この運動が、フック４２９を、板ばね５３２によって巻き上げられた図２に見られる枢動フック５２８から解放する。フック位置では、このフック５２８の一方の端部が、板５２５を打鈴列によって枢動される中間歯車のラチェットと接続する。ボルト５３７の枢動が、それがレバー５４０上に当接し、前記レバーを枢動させることを可能にする。このレバー５４０が次に、ミニッツ・ラック１１０の運動と接続された、ゴング絶縁機構５４２を解放する。これは、参照によって本明細書に組み込まれる欧州特許出願第０９１７５２６６．７号の主題である。枢動フック５２８の枢動が、解放レバー１０５が、そのばね１０５Ａによって矢印Ｃの方向に枢動されることを可能にし、前記フック１０９が次に、打鈴機構ユニットのラチェット９と協働する。次に、打鈴が、必要に応じて実行を開始する。
【０１６４】
図２１Ｃは、第２のレバー５３６のロックに関する。第１のレバー５３５が強く押圧されたとき、ばね５３４によって付与される復帰トルクが、前記第１のレバー５３５を休止位置へ戻すようにする。第１のレバー５３５によってもはや保持されていない第２のレバー５３６が、矢印Ｂの方向に枢動するようにし、この運動中、ボルト５３７のつめ５３７Ａ内に備えられたキャッチ５３６Ａの縁部を介して、段差５３７Ｂを引掛ける。このとき、打鈴が実行を終了するまで、再び打鈴を解放することは不可能である。
【０１６５】
打鈴オンデマンド機構が実行を終了したとき、レバー５４０がボルト５３７を枢動させる。ボルト５３７が、第２のレバー５３６を解放し、レバー５３６が図２１の休止位置に戻ることができる。
【０１６６】
本発明は、さらに、本明細書で前に記載した継続時間制限機構３３０を備え、前記調時フック１４１をその位置に応じて動作状態または非動作状態に配置するための少なくとも第２の絶縁器１４３を有する制御棒連結機構７００を備える結合機構６００を備える、副打鈴解放機構１に関する。
【０１６７】
本発明は、さらに、少なくとも１つのハンマーを作動させるために前記打鈴機構１００内に設けられた少なくとも１つの上昇部片を制御するように、打鈴機構ユニット２がそれに嵌合されている駆動心棒１２０を備える、打鈴機構ユニット２の枢動を制御するように構成され、その中に組み込まれたこのタイプの副打鈴解放機構１および／または継続時間制限機構３３０を備える、主打鈴制御機構１０をさらに備える、リピータ打鈴機構１００に関する。
【０１６８】
本発明は、さらに、少なくとも１つの時計ムーブメント２００と、一方では、事前設定、および／または信号の受信、および／または物理的なパラメータに対する閾値の侵害に関連する特定の時刻に副打鈴を動作させるための少なくとも１つの機構４００と、他方では、主打鈴制御手段１０によって制御され、時計ムーブメント２００によってプログラムされた時刻に、または必要に応じて打鈴機構を解放するように構成された少なくとも１つの打鈴またはグランド・ストライクまたはミニッツ・リピータ機構１００を備える時計１０００であって、前記時計１０００が、その中に組み込まれたこのタイプの副打鈴解放機構１および／または継続時間制限機構３３０を備える時計１０００に関する。
【０１６９】
本発明は、さらに、前記時計１０００が、駆動心棒１２０を備え、プログラムされた時間にまたは必要に応じて主打鈴を解放するように構成された主打鈴制御手段１０によって制御される、少なくとも１つの打鈴またはグランド・ストライクまたはミニッツ・リピータ機構１００を備える打鈴時計１０００用の副打鈴機構駆動機構３５０に関する。本発明によると、この副打鈴機構駆動機構３５０は、少なくとも１つのハンマーを作動させるための少なくとも１つの上昇部片を制御する駆動心棒１２０に嵌合された、本明細書で前に記載した、打鈴機構ユニット２を備える。打鈴機構ユニット２の戻り止めラチェット９の枢動が、前記副打鈴機構駆動機構３５０内に備えられたレバー１０５の第１のこはぜ１０９によって制御され、前記第１のこはぜ１０９が、主打鈴機構を動作させるために主打鈴制御機構１０によって制御されるように構成されている。解放歯車１１８は、副またはアラーム打鈴機構を制御するために、レバー１０５内に備えられた第２のこはぜ２０９によって枢動される。この第２のこはぜ２０９は、副打鈴機構に対応する副打鈴解放機構１の制御棒連結機構７００と協働するように構成されている。レバー１０５は、所与の時刻に、第１のこはぜ１０９または第２のこはぜ２０９のみがそれぞれ、戻り止めラチェット９、または解放歯車１１８とそれぞれ噛合するように構成されている。
【０１７０】
この副打鈴機構駆動機構３５０は、副打鈴に対応する副打鈴解放機構１の制御棒連結機構７００と協働するように構成されている結合歯車群１５０を備える。結合歯車群１５０は、かな１５８を枢動させ、それを担持している。かな１５８は、周縁歯１１９と恒久的に協働し、ピン１５７をまた担持し、制御棒連結機構７００と協働する。その位置は、復帰ばね１９０によって休止位置にまた戻される結合歯車群１５０の角度位置を決定する。このかな１５８は、結合歯車群１５０の結合位置の１つで、星形歯車１６１の分岐の数によって決定される速度でハンマー１０６を作動させることによって副打鈴を実行するための、少なくとも１つの上昇部片１６２の運動を制御する、星形歯車１６１と一体に枢動するように装着されている別のかな１５９と噛合する。
【０１７１】
図示した実施形態では具体的に、この副打鈴機構駆動機構３５０は、所望のアラーム時刻を設定する手段を備えるアラーム制御機構である、副打鈴制御機構４００によって決定された時刻に第２のアラームを送出するためのアラーム打鈴機構駆動機構である。
【０１７２】
本発明は、さらに、枢動軸Ｄの周りに枢動自在に装着された駆動心棒１２０を備え、少なくとも１つのハンマーを作動させるための前記打鈴機構１００内に設けられた少なくとも１つの上昇部片を制御ようために、打鈴機構ユニット２がそれに嵌合されている、リピータ打鈴機構１００に関する。打鈴機構１００は、打鈴機構ユニット２の枢動を制御するように構成されている、主打鈴制御機構１０および／または解放レバー１０５、および／または前記レバー１０５の第１のこはぜ１０９を備える。
【０１７３】
特定の実施形態では、リピータ打鈴機構１００は、プログラムされた時刻にまたは必要に応じて、主打鈴を解放するように構成され、副打鈴のために副打鈴解放機構１と協働するように構成されている、またはその中に組み込まれた副打鈴解放機構１を備える、主打鈴制御手段１０によって制御されている。
【０１７４】
特定の実施形態では、リピータ打鈴機構１００は、打鈴機構ユニット２が、少なくとも１つのハンマーを作動させるために少なくとも１つの上昇部片を駆動するために、駆動心棒１２０と協働する、このタイプの副打鈴機構駆動機構３５０協働するように構成されている。
【０１７５】
本発明は、さらに、第１のミニッツ・リピータ制御レバー５３５を押圧する押圧部片を押圧することによって使用者によって作動されることができる、時計ムーブメント２００を備える時計１０００用の、解放カム５３０を自動動作で駆動する、打鈴機構が動作しているとき打鈴機構ユニット２内に備えられた戻り止めラチェット９のほうへ解放レバー１０５を枢動させる、巻上げカム４４０を担持している板５２５を駆動するように構成され、本明細書で前に記載した安全機構９００を備える、日の裏機構をさらに備える、打鈴機構ユニット２およびミニッツ・リピータを備える打鈴機構１００に関する。
【０１７６】
本発明は、さらに、少なくとも１つの時計ムーブメント２００、一方では、事前設定、および／または信号の受信および／または物理的なパラメータに対する閾値の侵害に関連する特定の時刻に副打鈴機構を動作させる少なくとも１つの機構４００、および他方では、少なくとも１つの打鈴またはグランド・ストライクまたはミニッツ・リピータ機構１００、好ましくは駆動心棒１２０を備え、時計ムーブメント２００によってプログラムされた時刻に、または必要に応じて打鈴機構を解放するように構成されている主打鈴制御手段１０によって制御され、時計ムーブメント２００が打鈴機構１００を制御するように構成されている、時計１０００に関する。
【０１７７】
好ましくは、特定の実施形態では、時計１０００は、副打鈴制御機構４００によって決定された時刻での副打鈴のためのこのタイプの副打鈴解放機構１を備える。
【０１７８】
特定の実施形態では、副打鈴解放機構１は、副打鈴が作動されてないとき、第１のこはぜ１０９と打鈴機構ユニット２の間の協働を可能にし、副打鈴が作動されているとき、第２のこはぜ２０９を打鈴機構ユニット２と協働させるように構成された、制御棒連結機構７００を備える。
【０１７９】
特定の実施形態では、時計１０００は、このタイプの副打鈴機構駆動機構３５０を備え、制御棒連結機構７００が、結合歯車群１５０の角度位置を制御するように構成されている。
【０１８０】
特定の実施形態では、この時計１０００が、階層状に配置され、互いに連続的に優先順位が付けられ、主打鈴制御手段１０に対する優先順位がすべて高い、いくつかの副打鈴制御機構４００を備える。時計は、これらの副打鈴制御機構４００の優先のレベルを比較する手段、前記副打鈴制御機構４００の１つの解放の前記特定の時刻に、それに対してより高い優先順位の別の副打鈴制御機構４００からの音響信号が動作中である場合、その動作を防止し、それに対してより高い優先順位の別の副打鈴制御機構４００が動作中でない場合、その動作を可能にし、その場合、絶縁機構８００が、それに対してより低い優先順位の他のいかなる副打鈴制御機構４００の動作も防止するように構成された、絶縁機構８００を備える、副打鈴解放機構１を備える。
【０１８１】
図示されている特定の実施形態では、時計１０００は、所望のアラーム時刻を設定する手段を備えるアラーム制御機構４００である、少なくとも１つの副打鈴制御機構４００を備え、かつ時計が、アラーム機構３００である副打鈴解放機構１を備え、結合機構６００が、所望のアラーム時刻に、主打鈴制御手段１０を結合解除することによって主打鈴の始動を防止し、打鈴またはグランド・ストライクまたはミニッツ・リピータ機構１００の全部または一部に結合することによって副打鈴を解放するように構成されている。
【０１８２】
本発明は、さらに、少なくとも１つの時計ムーブメント２００を備え、かつ、一方では、特定の時刻に副打鈴機構を動作させる少なくとも１つの機構４００、および他方では時計ムーブメント２００によってプログラムされた時刻にまたは必要に応じて打鈴機構を解放するように構成されている主打鈴制御手段１０によって制御される少なくとも１つの打鈴またはグランド・ストライクまたはミニッツ・リピータ機構１００を備え、かつ、各打鈴機構シークエンスが、時計ムーブメント２００によって駆動される時間基準上の時間情報収集フィーラー・スピンドルによる情報の検索によって決定され、時計１０００が、所与の時刻に、単一の副打鈴制御機構４００、または主打鈴制御手段１０のいずれかの、排他的な動作を可能にするように構成された結合機構６００を備える副打鈴解放機構１をさらに備える、時計１０００に関する。本発明によると、前記結合機構６００は、制御棒連結機構７００を備え、モード選択手段５００によって作動される大制御デバイス４０１が、前記第１の絶縁器１４２を担持している。
【０１８３】
特定の変形形態では、時計１０００は、第１のミニッツ・リピータ・レバー５３５によって解放されるミニッツ・リピータ機構を備える、打鈴またはグランド・ストライクまたはミニッツ・リピータ機構１００を備え、時計は、副打鈴解放機構１を備える。この機構１は、本明細書で前に記載した安全機構９００を備える。
【０１８４】
本発明は、さらに、時計ムーブメント２００を備え、解放カム５３０を駆動する日の裏機構をさらに備える、時計１０００に関する。自動動作中、打鈴機構１００の打鈴機構ユニット２内に備えられた解放レバー１０５を戻り止めラチェット９のほうへ枢動させ、第１のミニッツ・リピータ制御レバー５３５を押圧する押圧部片を押圧することによって使用者によって作動されるミニッツ・リピータを備え、前記打鈴機構ユニット２が、打鈴機構が作動されたとき巻上げカム４４０を担持している板５２５を駆動するように構成されている。この時計１０００は、前記第１のミニッツ・リピータ制御レバー５３５と協働するように構成されている本明細書で前に記載した安全機構９００を備える。
【０１８５】
特定の実施形態では、前記時計１０００が、腕時計または懐中時計である。
【０１８６】
好ましくは、本発明は、打鈴機構ユニット２、および第１のミニッツ・リピータ制御レバー５３５を押圧する押圧部片を押圧することにより使用者によって駆動されることが可能であるミニッツ・リピータを備え、打鈴が駆動されたとき、巻上げカム４４０を担持している板５２５を駆動するように構成された解放レバー１０５を、自動動作中、前記打鈴機構ユニット２内に備えられた戻り止めラチェット９に向かって枢動させる解放カム５３０を駆動する日の裏機構を備える時計ムーブメント２００を備える時計１０００のための打鈴機構１００であって、前記打鈴機構が、前記ミニッツ・リピータのいかなる不注意による駆動に対しても保護する安全機構９００を備えること、前記安全機構９００が、前記第１のレバー５３５と協働するように構成され、かつミニッツ・リピータが動作状態に設定されたとき、前記第１のレバー５３５によってその枢動が制御される第２の枢動安全レバー５３６を備え、前記第２のレバー５３６が、いったん動作状態に設定された後、ミニッツ・リピータが再び解放されることを防止するために、ばねによって復帰される枢動ボルト５３７内に備えられたつめ５３７Ａと協働するように構成されたキャッチ５３６Ａを備えることを特徴とする打鈴機構１００に関する。
【０１８７】
本発明の別の特徴によると、前記ミニッツ・リピータが、オンデマンド打鈴が実行を終了したとき、休止位置へのその復帰のために、前記ボルト５３７を枢動させるためにレバー５４０を作動させ、前記第２のレバー５３６を解放することによって、前記ボルト５３７を解放する。
【０１８８】
本発明の別の特徴によると、前記ボルト５３７の枢動が、ゴング絶縁機構５４２を解放するために、前記ボルトがレバー５４０と当接して、前記レバーを枢動させることを可能にする。
【０１８９】
本発明の別の特徴によると、前記安全機構９００が、必要に応じて、前記第２のレバー５３６の枢動運動を防止する、または可能にするために、休止位置での枢動アーム５３５Ｂのほぼ円形のカム５３５Ｄの端部に、または打鈴を解放するための、または中間押圧部片を形成している前記第２のレバー５３６をロックするための位置での前記カム５３５Ｄの内部のいずれかで、前記第１のレバー５３５上に枢動自在に装着された前記アーム５３５Ｂと当接する傾斜端部５３５Ｃを有する、前記第１のレバー５３５と一体に装着されたばね５３５Ａを備える。
【０１９０】
本発明の別の特徴によると、前記第２のレバー５３６が、可動アーム５２３内に備えられたピン５２３Ａと当接して協働するように構成された嘴部５３６Ｂを備えること、前記第２のレバー５３６がまた、そのベアリング面５３１Ａが、板または受け上に枢動自在に装着されたフック５２９のベアリング面５２９Ａを押圧するように構成されている枢動フック解除レバー５３１を担持していること、および前記アーム５２３が、前記フック５２９の対向するベアリング面５２９Ｂに、反対方向に、圧力を付与するように構成された第２のピン５２３Ｂを備え、前記フック５２９が、板ばね５３２によって巻き上げられるその位置に応じて、枢動フック５２８と協働するまたは協働しないように構成され、前記フック５２８の一方の端部が、フック位置で前記板５２５を打鈴歯車列によって枢動される中間歯車ラチェットに接続し、かつ前記枢動フック５２８の枢動が、次に必要に応じて打鈴を実行することを可能にするために前記打鈴機構ユニット２の前記ラチェット９と協働するフック１０９を備える解放レバー１０５の枢動を可能にする。
【０１９１】
本発明の別の特徴によると、前記安全機構９００が休止位置にあるとき、前記ばね５３５Ａの前記傾斜端部５３５Ｃが、前記ボルト５３７が前記キャッチ５３６Ａから解放されるような位置にある前記第２のレバー５３６と第１のベアリング表面５３５Ｅを介して当接している、前記枢動アーム５３６Ｂの前記カム５３５Ｄの終点で当接し、かつ前記アーム５２３の前記ピン５２３Ｂが、前記フック５２９にいずれの作用も付与しない。
【０１９２】
本発明の別の特徴によると、前記第１のレバー５３５と当接する押圧部片への使用者の作用によって打鈴が解放されたとき、前記レバーが枢動し、前記ばね５３５Ａが前記カム５３５Ｄの内部と当接し、かつ前記アーム５３５Ｂが、前記第２のレバー５３６に前記ボルト５３７を引掛けるために、第２のベアリング表面５３５Ｆを介して前記第２のレバー５３６を押圧し、その枢動が、前記第２のレバー５３６の前記嘴部５３６Ｂによって前記ピン５２３Ａ上で駆動される、前記アーム５２３の運動を生じさせ、前記アーム５２３がさらに、その前記第２のピン５２３Ｂを介して、前記フックを前記枢動フック５２８から解放するために、前記フック５２９の前記ベアリング表面５２９Ｂを動かす。
【０１９３】
本発明の別の特徴によると、前記第２のレバー５３６が、使用者による作用のための押圧部片と前記第１のレバー５３５の間に挿入されたばね５３４によって付与された復帰トルクの影響による前記第１のレバー５３５の休止位置への復帰によってロックされ、前記第２のレバー５３６が次に、前記キャッチ５３６Ａの縁部を介して、ボルト５３７の前記つめ５３７Ａ内に備えられた段差５３７Ｂを引掛けるように枢動し、このようにして前記打鈴が実行を終了する前に、打鈴が再び解放されることを防止する。
【０１９４】
本発明の別の特徴によると、前記ミニッツ・リピータが、オンデマンド打鈴が実行を終了したとき、前記ボルト５３７を枢動させるためのレバー５４０を作動させ、前記レバーを前記休止位置へ復帰させるための前記第２のレバー５３６を解放することによって、前記ボルト５３７を解放すること、および前記ボルト５３７の枢動が、前記ボルトがゴング絶縁機構５４２を解放するために前記レバー５４０と当接してそれを枢動させることを可能にする。
【０１９５】
本発明の別の特徴によると、位置に応じて、前記ロッキング・フック５２９が前記巻上げカム４４０をロックまたは解放し、したがって、その位置に応じたすべての打鈴の停止または解放を許可する。
【０１９６】
本発明の別の特徴によると、前記ロッキング・フック５２９が、打鈴を手動解放するための手動制御レバーと協働する。
【０１９７】
本発明の別の特徴によると、前記第２のレバー５３６が、ミニッツ・ブレーク・レバーを接続解除するように構成された嘴部５３６Ｃを備える。
【０１９８】
本発明の別の特徴によると、前記ボルト５３７が、ミニッツ・リピータによる時刻表示のための打鈴サイクルの終わりでのみ解放されること、および前記第２のレバー５３６の枢動が、大制御棒連結機構４０１と直接的または間接的に協働するようにおよびミニッツ・リピータが動作している間、レバー５１７の嘴部５１８によって前記大制御デバイス４０１内に備えられた嘴部４３０をロックすることによって、前記時計１０００内に備えられた副またはアラーム打鈴機構を絶縁するために前記連結機構を押圧するように構成された可動アーム・レバー５２３を枢動させ、いったんミニッツ・リピータが終了した後、前記大制御デバイス４０１が復帰ばねの動作によって位置に復帰されることを可能にするために、前記レバー５１７が結合解除される。
【０１９９】
本発明はさらに、解放レバー１０５を、自動動作中、第１のミニッツ・リピータ制御レバー５３５を押圧する押圧部片を押圧することにより使用者によって駆動されることができるミニッツ・リピータを備える打鈴機構１００の前記打鈴機構ユニット２内に備えられた戻り止めラチェット９に向かって枢動させる解放カム５３０を駆動する日の裏機構を備える時計ムーブメント２００を備え、前記打鈴機構ユニット２が、打鈴が動作しているとき、巻上げカム４４０を担持している板５２５を駆動するように構成されている時計１０００であって、前記打鈴機構１００が、前記第１のミニッツ・リピータ制御レバー５３５と協働するように構成されていることを特徴とする時計に関する。
【符号の説明】
【０２００】
１  副打鈴解放機構
２  打鈴機構ユニット
３  駆動板
４  パイプ
５  こはぜ
６  フック
６Ａ  嘴部
７  ばね
９  戻り止めラチェット
１０  主打鈴制御手段
１１  パイプ・ラチェット
１２  歯
１３  アワー・ラチェット
１４  ラックかな
１６  パイプ
１７  ショルダ
１８  枢動駆動手段
１９  クォーター・ラック
２１  ピン
２２  つめ
２３  ベアリング面
５８  上昇部片
１００  打鈴機構
１０１  アワー・スネイル
１０２  クォーター・スネイル
１０３  ミニッツ・スネイル
１０３Ａ  サプライズ部片
１０５  解放レバー
１０６  第２のハンマー
１０７  ばね
１０８  第１のハンマー
１０９  第１のこはぜ
１０９Ａ  ばね
１１０  ミニッツ・ラック
１１１  クォーター・ラック
１１２  上昇部片
１１３  小ハンマー
１１５  ラック
１１６  ミニッツ・フック
１１７  ゴング
１１８  解放歯車
１１９  周縁歯
１２０  駆動手段
１３０  調時ユニット
１３１  板
１３２  調時歯車
１３３  調時ラチェット
１３４  止め具
１３５  復帰手段
１３６  停止手段
１３７  相補的な停止手段
１３８  シャフト部品
１３９  穴
１４１  調時フック
１４３  第２の絶縁器
１４３Ａ  大アーム
１５０  結合歯車群
１５４、１５５、１５６  アーム
１５７  ピン
１５８、１５９  かな
１６１  星形歯車
１６２  上昇部片
１７１、１７２  矩形穴
１７３  ねじ
１７５  ピン
１７６  行程制限穴
１８１  ロック止め
１８２  カム
１８３  ばね
１８４  隅部
１８５  傾斜面
１８６  端部
１８７  平坦な部分
１９０  復帰ばね
１９１  ピン
２００  時計ムーブメント
２０９  第２のこはぜ
２０９Ａ  第２のばね
２１０  レバー
２１１  押圧部片
２３３  枢動セレクタ部品
３００  アラーム機構
３３０  継続時間制限機構
３５０  副打鈴機構駆動機構
４００  副打鈴制御手段
４０１  大制御デバイス
４０５  枢動軸
４０７  ボス
４１１  小アーム
４４０  巻上げカム
４４１  アーム
４１５  セレクタ・レバー
４１５Ａ  ピン
４２９  フック
４３１  開口部
４３２  トラニオン
４３３  矩形穴
４４０  巻上げカム
５００  モード選択手段
５０１  制御つめ
５０２、５０３、５０５  ラチェット
５０４  四葉カム
５０６  アワー絶縁器
５０７  フック
５１７  嘴部
５１２  ラック・レバー
５１３  ラック
５１４  歯車
５２１  絶縁器
５２２  曲がったアーム・レバー
５２３  アーム・レバー
５２３Ａ、５２３Ｂ  ピン
５２５  板
５２８  枢動フック
５２９  ロック・フック
５２９Ａ、５２９Ｂ  ベアリング面
５３０  解放カム
５３１  フック解除レバー
５３１Ａ  ベアリング面
５３５  第１のレバー
５３５Ａ  ばね
５３５Ｂ  枢動アーム
５３５Ｃ  傾斜端部
５３５Ｄ  カム
５３６  第２のレバー
５３６Ａ  キャッチ
５３６Ｃ  嘴部
５３７  枢動ボルト
５３７Ａ  つめ
５３７Ｂ  段差
５３９  凹部
５４０  レバー
５４２  ゴング絶縁機構
６００  結合手段
７００  制御棒連結機構
８００  絶縁手段
９００  安全機構
１０００  時計
【図１】
0005616383.tif 000002
【図２】
0005616383.tif 000003
【図３】
0005616383.tif 000004
【図４】
0005616383.tif 000005
【図５】
0005616383.tif 000006
【図６】
0005616383.tif 000007
【図７】
0005616383.tif 000008
【図８】
0005616383.tif 000009
【図９】
0005616383.tif 000010
【図１０】
0005616383.tif 000011
【図１１】
0005616383.tif 000012
【図１２】
0005616383.tif 000013
【図１３】
0005616383.tif 000014
【図１４】
0005616383.tif 000015
【図１５】
0005616383.tif 000016
【図１６】
0005616383.tif 000017
【図１７】
0005616383.tif 000018
【図１８】
0005616383.tif 000019
【図１９】
0005616383.tif 000020
【図２０】
0005616383.tif 000021
【図２１】
0005616383.tif 000022
【図２２】
0005616383.tif 000023
【図２３】
0005616383.tif 000024
【図２４】
0005616383.tif 000025
【図２５】
0005616383.tif 000026
【図２６】
0005616383.tif 000027
【図２７】
0005616383.tif 000028
【図２８】
0005616383.tif 000029
【図２９】
0005616383.tif 000030
【図３０】
0005616383.tif 000031
【図３１】
0005616383.tif 000032
【図３２】
0005616383.tif 000033
【図３３】
0005616383.tif 000034
【図３４】
0005616383.tif 000035
【図３５】
0005616383.tif 000036
【図３６】
0005616383.tif 000037
【図３７】
0005616383.tif 000038